(57)【要約】      （修正有）【課題】換気機能を遂行しながら外気を導入することなく室内空気の循環だけを通じて室内空気の連続した除湿を遂行することができる換気装置を提供する。【解決手段】相互に区画状態に交差する第１の空気通路と第２の空気通路とを備える電熱交換機と、室外空気が、前記電熱交換機の第１の空気通路を経て室内に流入するように前記本体内に形成された給気流路と、該給気流路に設置された第１の送風ファンと、室内空気が、電熱交換機の第２の空気通路を経て室外に排出されるように本体内に形成された排気流路と、該排気流路に設置された第２の送風ファンと、室内空間に排出される空気の除湿のために、一側が電熱交換機下流の給気流路内に位置し、他側が電熱交換機下流の排気流路内に位置した状態で回転自在に設けられた除湿ローターと、該除湿ローター側に流れる空気を加熱するように、排気流路内の除湿ローターと近接する位置に設置されたヒーターとを備える。【選択図】図１
2006125824.tif 000002
【特許請求の範囲】
【請求項１】
本体内に設置され、相互に区画状態に交差する第１の空気通路と第２の空気通路とを備える電熱交換機と、
室外空気が、前記電熱交換機の第１の空気通路を経て室内に流入するように前記本体内に形成された給気流路と、
前記給気流路に設置された第１の送風ファンと、
室内空気が、前記電熱交換機の第２の空気通路を経て前記室外に排出されるように前記本体内に形成された排気流路と、
前記排気流路に設置された第２の送風ファンと、
室内空間に排出される空気の除湿のために、一側が前記電熱交換機下流の前記給気流路内に位置し、他側が前記電熱交換機下流の前記排気流路内に位置した状態で回転自在に設けられた除湿ローターと、
前記除湿ローター側に流れる空気を加熱するように、前記排気流路内の前記除湿ローターと近接する位置に設置されたヒーターとを備えることを特徴とする換気装置。
【請求項２】
前記本体は、室内空間から空気が流入する室内流入口と、室内空間に空気が排出される室内排出口と、室外から空気が流入する室外流入口と、室外に空気が排出される室外排出口とを備えることを特徴とする請求項１に記載の換気装置。
【請求項３】
前記給気流路は、前記室外流入口と前記電熱交換機の第１の空気通路の入口とを連通させる第１の給気流路と、前記電熱交換機の第１の空気通路を通過した空気の流れを案内する第２の給気流路と、前記第２の給気流路と前記室内排出口とを連通させる第３の給気流路とを備え、
前記排気流路は、前記室内流入口と前記電熱交換機の第２の空気通路の入口とを連通させる第１の排気流路と、前記電熱交換機の第２の空気通路を通過した空気の流れを案内する第２の排気流路と、前記第２の排気流路と前記室外排出口とを連通させる第３の排気流路とを備えることを特徴とする請求項２に記載の換気装置。
【請求項４】
前記第１の排気流路の空気が、前記第１の給気流路側に流入するように前記本体に形成された迂回流路と、該迂回流路を開閉する第１のダンパーと、前記室外流入口を開閉する第２のダンパーとをさらに備えることを特徴とする請求項３に記載の換気装置。
【請求項５】
前記第１の送風ファンが前記第２の給気流路内に設置され、前記第２の送風ファンが前記第２の排気流路内に設置されることを特徴とする請求項４に記載の換気装置。
【請求項６】
前記第３の給気流路と前記第３の排気流路は、相互に隣接した状態で仕切り板を介して相互に区画され、前記除湿ローターは、両側が前記第３の給気流路と前記第３の排気流路に各々位置するように前記仕切り板に回転自在に設置されることを特徴とする請求項５に記載の換気装置。
【請求項７】
前記第３の給気流路に流入する空気が、前記除湿ローターを通過したり前記除湿ローターを迂回するように流路を切り替える第３のダンパーと、前記第３の排気流路に流入する空気が、前記除湿ローターを通過したり前記除湿ローターを迂回するように流路を切り替える第４のダンパーとをさらに備えることを特徴とする請求項６に記載の換気装置。
【請求項８】
前記第１のダンパーが前記迂回流路を閉鎖し、前記第２のダンパーが前記室外流入口を開放し、前記第３の給気流路に流入する空気が前記除湿ローターを通過するように前記第３のダンパーが動作し、前記ヒーターが動作した状態で前記第１及び第２の送風ファンが動作するときに、換気とともに外部から導入される空気の除湿を遂行することを特徴とする請求項７に記載の換気装置。
【請求項９】
前記第１のダンパーが前記迂回流路を開放し、前記第２のダンパーが前記室外流入口を閉鎖し、前記第３の給気流路に流入する空気が全て前記除湿ローターを通過するように前記第３のダンパーが動作し、前記第３の排気流路に流入する空気が前記除湿ローターを通過するように前記第４のダンパーが動作し、前記ヒーターが動作した状態で前記第１及び第２の送風ファンが動作するときに、外気の導入無しで室内空気の除湿を遂行することを特徴とする請求項７に記載の換気装置。
【請求項１０】
前記第１のダンパーが前記迂回流路を閉鎖し、前記第２のダンパーが前記室外流入口を開放し、前記第３の給気流路に流入する空気が前記除湿ローターを迂回するように前記第３のダンパーが動作し、前記第３の排気流路に流入する空気が前記除湿ローターを迂回するように前記第４のダンパーが動作した状態で、前記第１及び第２の送風ファンが動作するときに、除湿動作無しで換気を遂行することを特徴とする請求項７に記載の換気装置。
【請求項１１】
前記室外排出口を開閉する第５のダンパーをさらに備えることを特徴とする請求項７に記載の換気装置。
【請求項１２】
前記除湿ローターは、空気流通可能な格子型の表面に水分吸着剤が塗布された回転体であることを特徴とする請求項１に記載の換気装置。
【請求項１３】
前記第１の排気流路の空気が前記第２の給気流路側に流入するように前記本体に形成された迂回流路と、前記迂回流路を開閉する第１のダンパーと、前記室外流入口を開閉する第２のダンパーとをさらに備えることを特徴とする請求項３に記載の換気装置。
【請求項１４】
前記第１の送風ファンが前記第２の給気流路内に設置され、前記第２の送風ファンが前記第２の排気流路内に設置されることを特徴とする請求項１３に記載の換気装置。
【請求項１５】
前記第３の給気流路と前記第３の排気流路は、相互に隣接した状態で仕切り板を介して相互に区画され、前記除湿ローターは、両側が前記第３の給気流路と前記第３の排気流路に各々位置するように前記仕切り板に回転自在に設置されることを特徴とする請求項１４に記載の換気装置。
【請求項１６】
前記第３の給気流路に流入する空気が、前記除湿ローターを通過したり前記除湿ローターを迂回するように流路を切り替える第３のダンパーと、前記第３の排気流路に流入する空気が、前記除湿ローターを通過したり前記除湿ローターを迂回するように流路を切り替える第４のダンパーとをさらに備えることを特徴とする請求項１５に記載の換気装置。
【請求項１７】
前記第１のダンパーが前記迂回流路を閉鎖し、前記第２のダンパーが前記室外流入口を開放し、前記第３の給気流路に流入する空気が前記除湿ローターを通過するように前記第３のダンパーが動作し、前記ヒーターが動作した状態で前記第１及び第２の送風ファンが動作するときに、換気とともに外部から導入される空気の除湿を遂行することを特徴とする請求項１６に記載の換気装置。
【請求項１８】
前記第１のダンパーが前記迂回流路を開放し、前記第２のダンパーが前記室外流入口を閉鎖し、前記第３の給気流路に流入する空気が前記除湿ローターを通過するように前記第３のダンパーが動作し、前記第３の排気流路に流入する空気が前記除湿ローターを通過するように前記第４のダンパーが動作し、前記ヒーターが動作した状態で前記第１及び第２の送風ファンが動作するときに、外気の導入無しで室内空気の除湿を遂行することを特徴とする請求項１６に記載の換気装置。
【請求項１９】
前記第１のダンパーが前記迂回流路を閉鎖し、前記第２のダンパーが前記室外流入口を開放し、前記第３の給気流路に流入する空気が前記除湿ローターを迂回するように前記第３のダンパーが動作し、前記第３の排気流路に流入する空気が前記除湿ローターを迂回するように前記第４のダンパーが動作した状態で、前記第１及び第２の送風ファンが動作するときに、除湿動作無しで換気を遂行することを特徴とする請求項１６に記載の換気装置。
【請求項２０】
前記室外排出口を開閉する第５のダンパーをさらに備えることを特徴とする請求項１６に記載の換気装置。
【請求項２１】
本体内に設置され、相互に区画状態に交差する第１の空気通路と第２の空気通路とを備える電熱交換機と、
室外空気が前記電熱交換機の第１の空気通路を経て室内に流入するように、前記本体内に形成された給気流路と、
前記給気流路に設置された第１の送風ファンと、
室内空気が前記電熱交換機の第２の空気通路を経て前記室外に排出されるように、前記本体内に形成された排気流路と、
前記排気流路に設置された第２の送風ファンと、
前記電熱交換機の第１の空気通路を通過した前記給気流路の空気の一部が、前記電熱交換機下流の前記排気流路側に流れるように、前記本体に形成された連通流路と、
室内空間に排出される空気の除湿のために、一側が前記電熱交換機下流の前記給気流路内に位置し、他側が前記連通流路内に位置した状態で回転自在に設けられた除湿ローターと、
前記除湿ローター側に流れる空気を加熱するように、前記連通流路内の前記除湿ローターと近接する位置に設置されたヒーターとを備えることを特徴とする換気装置。
【請求項２２】
前記本体は、室内空間から空気が流入する室内流入口と、室内空間に空気が排出される室内排出口と、室外から空気が流入する室外流入口と、室外に空気が排出される室外排出口とを備えることを特徴とする請求項２１に記載の換気装置。
【請求項２３】
前記給気流路は、前記室外流入口と前記電熱交換機の第１の空気通路入口とを連通させる第１の給気流路と、前記電熱交換機の第１の空気通路を通過した空気の流れを案内する第２の給気流路と、前記第２の給気流路と前記室内排出口とを連通させる第３の給気流路とを備え、
前記排気流路は、前記室内流入口と前記電熱交換機の第２の空気通路の入口とを連通させる第１の排気流路と、前記電熱交換機の第２の空気通路の出口と前記室外排出口とを連通させる第２の排気流路とを備え、
前記連通流路は、前記第２の給気流路と前記第２の排気流路とを連通させることを特徴とする請求項２２に記載の換気装置。
【請求項２４】
前記第１の排気流路の空気が前記第１の給気流路側に流入するように前記本体に形成された迂回流路と、前記迂回流路の入口と前記電熱交換機の第２の空気通路の入口のいずれかを選択的に閉鎖する第１のダンパーと、前記室外流入口を開閉する第２のダンパーとをさらに備えることを特徴とする請求項２３に記載の換気装置。
【請求項２５】
前記第１の送風ファンが、前記第２の給気流路内に設置され、前記第２の送風ファンが、前記第２の排気流路内に設置されることを特徴とする請求項２４に記載の換気装置。
【請求項２６】
前記第３の給気流路と前記連通流路は、相互に隣接した状態で仕切り板を介して相互に区画され、前記除湿ローターは、両側が前記第３の給気流路と前記連通流路に各々位置するように前記仕切り板に回転自在に設置されることを特徴とする請求項２５に記載の換気装置。
【請求項２７】
前記第３の給気流路に流入する空気が、前記除湿ローターを通過したり前記除湿ローターを迂回するように流路を切り替える第３のダンパーと、前記連通流路に流入する空気が、前記除湿ローターを経て前記第２の排気流路に流入したり前記連通流路の出口を閉鎖するように流路を切り替える第４のダンパーとをさらに備えることを特徴とする請求項２６に記載の換気装置。
【請求項２８】
前記第１のダンパーが前記迂回流路を閉鎖し、前記第２のダンパーが前記室外流入口を開放し、前記第３の給気流路に流入する空気が前記除湿ローターを通過するように前記第３のダンパーが動作し、前記連通流路に流入する空気が前記除湿ローターを経て前記第２の排気流路に流れるように前記第４のダンパーが動作し、前記ヒーターが動作された状態で前記第１及び第２の送風ファンが動作するときに、換気とともに外部から導入される空気の除湿を遂行することを特徴とする請求項２７に記載の換気装置。
【請求項２９】
前記第１のダンパーが、前記迂回流路を開放すると同時に前記電熱交換機の第２の空気通路の入口を閉鎖し、前記第２のダンパーが、前記室外流入口を閉鎖し、前記第３の給気流路に流入する空気が前記除湿ローターを通過するように前記第３のダンパーが動作し、前記連通流路に流入する空気が前記除湿ローターを経て前記第２の排気流路に流れるように前記第４のダンパーが動作し、前記ヒーターが動作された状態で前記第１及び第２の送風ファンが動作するときに、外気の導入無しで室内空気の除湿を遂行することを特徴とする請求項２７に記載の換気装置。
【請求項３０】
前記第１のダンパーが前記迂回流路を閉鎖し、前記第２のダンパーが前記室外流入口を開放し、前記第３の給気流路に流入する空気が前記除湿ローターを迂回するように前記第３のダンパーが動作し、前記連通流路の出口を閉鎖するように前記第４のダンパーが動作した状態で、前記第１及び第２の送風ファンが動作するときに、除湿動作無しで換気を遂行することを特徴とする請求項２７に記載の換気装置。
【請求項３１】
前記室外排出口を開閉する第５のダンパーをさらに備えることを特徴とする請求項２７に記載の換気装置。
【請求項３２】
前記除湿ローターは、空気流通可能な格子型の表面に水分吸着剤が塗布された回転体であることを特徴とする請求項２１に記載の換気装置。
【請求項３３】
前記第１の排気流路の空気が前記第２の給気流路側に流入するように前記本体に形成された迂回流路と、前記迂回流路と前記電熱交換機の第２の空気通路の入口側の流路のいずれかを選択的に閉鎖する第１のダンパーと、前記室外流入口を開閉する第２のダンパーとをさらに備えることを特徴とする請求項２３に記載の換気装置。
【請求項３４】
前記第１の送風ファンが、前記第２の給気流路内に設置され、前記第２の送風ファンが、前記第２の排気流路内に設置されることを特徴とする請求項３３に記載の換気装置。
【請求項３５】
前記第３の給気流路と前記連通流路は、相互に隣接した状態で仕切り板を介して相互に区画され、前記除湿ローターは、両側が前記第３の給気流路と前記連通流路に各々位置するように前記仕切り板に回転自在に設置されることを特徴とする請求項３４に記載の換気装置。
【請求項３６】
前記第３の給気流路に流入する空気が、前記除湿ローターを通過したり前記除湿ローターを迂回するように流路を切り替える第３のダンパーと、前記連通流路に流入する空気が、前記除湿ローターを経て前記第２の排気流路に流入するようにしたり、前記連通流路の出口を閉鎖するように流路を切り替える第４のダンパーとをさらに備えることを特徴とする請求項３５に記載の換気装置。
【請求項３７】
前記第１のダンパーが前記迂回流路を閉鎖し、前記第２のダンパーが前記室外流入口を開放し、前記第３の給気流路に流入する空気が前記除湿ローターを通過するように前記第３のダンパーが動作し、前記連通流路に流入する空気が前記除湿ローターを経て前記第２の排気流路に流れるように前記第４のダンパーが動作し、前記ヒーターが動作した状態で前記第１及び第２の送風ファンが動作するときに、換気とともに外部から導入される空気の除湿を遂行することを特徴とする請求項３６に記載の換気装置。
【請求項３８】
前記第１のダンパーが、前記迂回流路を開放すると同時に前記電熱交換機の第２の空気通路の入口側の流路を閉鎖し、前記第２のダンパーが、前記室外流入口を閉鎖し、前記第３の給気流路に流入する空気が前記除湿ローターを通過するように前記第３のダンパーが動作し、前記連通流路に流入する空気が前記除湿ローターを経て前記第２の排気流路に流れるように前記第４のダンパーが動作し、前記ヒーターが動作した状態で前記第１及び第２の送風ファンが動作するときに、外気の導入無しで室内空気の除湿を遂行することを特徴とする請求項３６に記載の換気装置。
【請求項３９】
前記第１のダンパーが前記迂回流路を閉鎖し、前記第２のダンパーが前記室外流入口を開放し、前記第３の給気流路に流入する空気が前記除湿ローターを迂回するように前記第３のダンパーが動作し、前記連通流路の出口を閉鎖するように前記第４のダンパーが動作した状態で、前記第１及び第２の送風ファンが動作するときに、除湿動作無しで換気を遂行することを特徴とする請求項３６に記載の換気装置。
【請求項４０】
前記室外排出口を開閉する第５のダンパーをさらに備えることを特徴とする請求項３６に記載の換気装置。
【発明の詳細な説明】
【技術分野】
【０００１】
本発明は、換気装置に関し、より詳細には、換気と除湿が同時に遂行可能であるのみならず、外気の流入無しで室内空気の循環のみを通じて除湿を遂行可能にした換気装置に関する。
【背景技術】
【０００２】
特許文献１には、電熱交換機を採用した換気装置が開示されている。この換気装置は、室内側に室内流入口と室内排出口とを備え、室外側に室外流入口と室外排出口とを備える本体と、この本体の内部に設置された電熱交換機と、本体の内部において室内流入口と室外流入口側に各々設置される送風器と、室内空気と室外空気を各々加熱するためのヒーターと、本体内の流路可変のための流路可変手段とを備える。
【０００３】
この換気装置は、換気運転を遂行する場合に、室外空気が室内に流入し、室内空気が室外に排出されるように流路可変手段が動作する。また、室内空気の除湿及び加湿を遂行する場合には、流路可変手段の動作によって室内から流入して電熱交換機を通過した室内空気が再び室内空間に排出されるようにする。また、室内空気の除湿及び加湿を遂行する過程で加熱再生を遂行する場合には、室外から流入して電熱交換機を通過した室外空気が、再び室外に排出されるようにする。
【０００４】
しかしながら、この換気装置は、除湿を遂行するときに、室内空気が電熱交換機を経て再び室内に排出されるようにしたり、室外空気が電熱交換機を経て再び室外に排出されるようにする過程を繰り返し行わなければならないため、連続した除湿運転が不可能になるという問題があった。
【０００５】
また、この換気装置は、電熱交換機を用いて除湿を遂行するため、機器の運転時間が長くなり、よって、エネルギー費用と運転騒音は増加し、除湿効果は低い欠点があった。
【０００６】
また、この換気装置は、除湿運転を遂行する間には室内の換気ができない問題があった。
【特許文献１】特開平８−９４１２４号公報
【発明の開示】
【発明が解決しようとする課題】
【０００７】
本発明は、上記事情に鑑みてなされたものであり、その目的は、換気機能を遂行しながら、外部から流入する空気の除湿を遂行することができる換気装置を提供することにある。
【０００８】
本発明の他の目的は、外気を導入することなく室内空気の循環だけを通じて室内空気の連続した除湿を遂行可能にし、従来に比べて除湿効果を向上させた換気装置を提供することにある。
【課題を解決するための手段】
【０００９】
上記の目的を達成するために、本発明よる換気装置は、本体内に設置され、相互に区画状態に交差する第１の空気通路と第２の空気通路とを備える電熱交換機と、室外空気が、前記電熱交換機の第１の空気通路を経て室内に流入するように前記本体内に形成された給気流路と、前記給気流路に設置された第１の送風ファンと、室内空気が、前記電熱交換機の第２の空気通路を経て前記室外に排出されるように前記本体内に形成された排気流路と、前記排気流路に設置された第２の送風ファンと、室内空間に排出される空気の除湿のために、一側が前記電熱交換機下流の前記給気流路内に位置し、他側が前記電熱交換機下流の前記排気流路内に位置した状態で回転するように設けられた除湿ローターと、前記除湿ローター側に流れる空気を加熱するように、前記排気流路内の前記除湿ローターと近接する位置に設置されたヒーターとを備えることを特徴とする。
【００１０】
また、前記本体は、室内空間から空気が流入する室内流入口と、室内空間に空気が排出される室内排出口と、室外から空気が流入する室外流入口と、室外に空気が排出される室外排出口とを備えることを特徴とする。
【００１１】
また、前記給気流路は、前記室外流入口と前記電熱交換機の第１の空気通路の入口とを連通させる第１の給気流路と、前記電熱交換機の第１の空気通路を通過した空気の流れを案内する第２の給気流路と、前記第２の給気流路と前記室内排出口とを連通させる第３の給気流路とを備え、前記排気流路は、前記室内流入口と前記電熱交換機の第２の空気通路の入口とを連通させる第１の排気流路と、前記電熱交換機の第２の空気通路を通過した空気の流れを案内する第２の排気流路と、前記第２の排気流路と前記室外排出口とを連通させる第３の排気流路とを備えることを特徴とする。
【００１２】
また、本発明は、前記第１の排気流路の空気が、前記第１の給気流路側に流入するように前記本体に形成された迂回流路と、該迂回流路を開閉する第１のダンパーと、前記室外流入口を開閉する第２のダンパーとをさらに備えることを特徴とする。
【００１３】
また、前記第１の送風ファンが前記第２の給気流路内に設置され、前記第２の送風ファンが前記第２の排気流路内に設置されることを特徴とする。
【００１４】
また、前記第３の給気流路と前記第３の排気流路は、相互に隣接した状態で仕切り板を介して相互に区画され、前記除湿ローターは、両側が前記第３の給気流路と前記第３の排気流路に各々位置するように前記仕切り板に回転自在に設置されることを特徴とする。
【００１５】
また、本発明は、前記第３の給気流路に流入する空気が、前記除湿ローターを通過したり前記除湿ローターを迂回するように流路を切り替える第３のダンパーと、前記第３の排気流路に流入する空気が、前記除湿ローターを通過したり前記除湿ローターを迂回するように流路を切り替える第４のダンパーとをさらに備えることを特徴とする。
【００１６】
また、本発明は、前記室外排出口を開閉する第５のダンパーをさらに備えることを特徴とする。
【００１７】
また、前記除湿ローターは、空気流通可能な格子型の表面に水分吸着剤が塗布された回転体であることを特徴とする。
【００１８】
また、本発明による換気装置は、本体内に設置され、相互に区画状態に交差する第１の空気通路と第２の空気通路とを備える電熱交換機と、室外空気が、前記電熱交換機の第１の空気通路を経て室内に流入するように、前記本体内に形成された給気流路と、前記給気流路に設置された第１の送風ファンと、室内空気が前記電熱交換機の第２の空気通路を経て前記室外に排出されるように、前記本体内に形成された排気流路と、前記排気流路に設置された第２の送風ファンと、前記電熱交換機の第１の空気通路を通過した前記給気流路の空気の一部が、前記電熱交換機下流の前記排気流路側に流れるように、前記本体に形成された連通流路と、室内空間に排出される空気の除湿のために、一側が前記電熱交換機下流の前記給気流路内に位置し、他側が前記連通流路内に位置した状態で回転自在に設けられた除湿ローターと、前記除湿ローター側に流れる空気を加熱するように、前記連通流路内の前記除湿ローターと近接する位置に設置されたヒーターと、を備え、前記本体は、室内空間から空気が流入する室内流入口と、室内空間に空気が排出される室内排出口と、室外から空気が流入する室外流入口と、室外に空気が排出される室外排出口とを備えることを特徴とする。
【００１９】
また、前記給気流路は、前記室外流入口と前記電熱交換機の第１の空気通路入口とを連通させる第１の給気流路と、前記電熱交換機の第１の空気通路を通過した空気の流れを案内する第２の給気流路と、前記第２の給気流路と前記室内排出口とを連通させる第３の給気流路とを備え、前記排気流路は、前記室内流入口と前記電熱交換機の第２の空気通路の入口とを連通させる第１の排気流路と、前記電熱交換機の第２の空気通路の出口と前記室外排出口とを連通させる第２の排気流路とを備え、前記連通流路は、前記第２の給気流路と前記第２の排気流路とを連通させることを特徴とする。
【００２０】
また、本発明は、前記第１の排気流路の空気が前記第１の給気流路側に流入するように前記本体に形成された迂回流路と、前記迂回流路の入口と前記電熱交換機の第２の空気通路の入口のいずれかを選択的に閉鎖する第１のダンパーと、前記室外流入口を開閉する第２のダンパーとをさらに備えることを特徴とする。
【００２１】
また、前記第３の給気流路と前記連通流路は、相互に隣接した状態で仕切り板を介して相互に区画され、前記除湿ローターは、両側が前記第３の給気流路と前記連通流路に各々位置するように前記仕切り板に回転自在に設置されることを特徴とする。
【００２２】
また、本発明は、前記第３の給気流路に流入する空気が、前記除湿ローターを通過したり前記除湿ローターを迂回するように流路を切り替える第３のダンパーと、前記連通流路に流入する空気が、前記除湿ローターを経て前記第２の排気流路に流入したり前記連通流路の出口を閉鎖するように流路を切り替える第４のダンパーとをさらに備えることを特徴とする。
【発明の効果】
【００２３】
本発明の換気装置によれば、除湿ローターの動作によって除湿が遂行されるため、室内の換気とともに除湿を遂行することができ、かつ、従来に比べて除湿効果が向上する効果が得られる。
【００２４】
また、本発明の換気装置によれば、迂回流路を通して室内空気を循環させられるため、外気を導入することなく室内空気の循環だけを通じて室内空気の連続した除湿を遂行することが可能になる。
【発明を実施するための最良の形態】
【００２５】
以下、本発明の好ましい実施形態について、添付図面を参照しつつ詳細に説明する。
【００２６】
図１ないし図５に、本発明の第１の実施形態に従う換気装置を示す。図１に示すように、第１の実施形態に従う換気装置は、四角の箱形状を有する本体１０の室内側に室内流入口１１及び室内排出口１２を備え、本体１０の室外側に室外流入口１３及び室外排出口１４を備える。
【００２７】
本体１０の内部には、室外から流入する空気と室内から排出される空気の熱交換のための電熱交換機２０が設置される。この電熱交換機２０は、通常の電熱交換機と同様に、相対向する第１の側面２１と第２の側面２２とが、第１の空気通路２０ａを介して連通し、相互対向する第３の側面２３と第４の側面２４もまた、第１の空気通路２０ａと区画される第２の空気通路２０ｂを介して連通する。この構成によって、室内空気と室外空気は、電熱交換機２０の第１の空気通路２０ａと第２の空気通路２０ｂを相互に交差するように通過しながら熱交換される。
【００２８】
また、本体１０の内部には、室内空間の換気のために室外流入口１３から流入する室外空気が、電熱交換機２０の第１の空気通路２０ａを経て室内排出口１２を通して排出されるようにする給気流路と、室内流入口１１から流入する室内空気が、電熱交換機２０の第２の空気通路２０ｂを経て室外排出口１４を通して排出されるようにする排気流路とが備えられる。
【００２９】
給気流路は、室外流入口１３と電熱交換機の第１の空気通路２０ａの入口とが連通するように形成される第１の給気流路３１と、電熱交換機２０の第１の空気通路２０ａを通過した空気を収容する空間からなる第２の給気流路３２と、第２の給気流路３２と室内排出口１２とが連通するように形成された第３の給気流路３３とを備える。したがって、室外空気は、第１の給気流路３１、電熱交換機の第１の空気通路２０ａ、第２の給気流路３２、第３の給気流路３３、室内排出口１２を順に経て室内空間に供給される。また、第２の給気流路３２の内部には、給気流路を通して空気が送風されるようにする第１の送風ファン３４が設置される。また、そういう送風のために第１の送風ファン３４は、その出口が第３の給気流路３３の入口につながる送風ケース３４ａを備える。
【００３０】
排気流路は、室内流入口１１と電熱交換機２０の第２の空気通路２０ｂの入口とが連通するように形成される第１の排気流路４１と、電熱交換機２０の第２の空気通路２０ｂを通過した空気を収容する空間からなる第２の排気流路４２と、第２の排気流路４２と室外排出口１４とを連通させる第３の排気流路４３とを備える。したがって、室内空気は、室内流入口１１、第１の排気流路４１、電熱交換機２０の第２の空気通路２０ｂ、第２の排気流路４２、第３の排気流路４３、室外排出口１４を順に経て室外に排出される。また、第２の排気流路４２の内部には、排気流路を通して空気が送風されるようにする第２の送風ファン４４が設置され、また、そういう送風のために、第２の送風ファン４４は、その出口が第３の排気流路４３の入口につながる送風ケース４４ａを備える。これら本体１０内の流路は、通常の換気装置におけると同様に、本体１０の内部を区画する複数枚の仕切り板によって形成される。
【００３１】
また、第３の給気流路３３と第３の排気流路４３は、図１及び図２に示すように、これら流路３３，４３を区画する仕切り板１５によって形成されるため、一部の区間が相互に隣接した状態となり、また、第３の給気流路３３と第３の排気流路４３とを区画する仕切り板１５には、室内空間に供給される空気を除湿するための除湿ローター５０が設置される。
【００３２】
除湿ローター５０は、図２及び図３に示すように、空気の流通が可能な格子型の網体や蜂の巣の形をした表面に水分吸着剤が塗布された回転体で構成される。水分吸着剤としては、シリカゲルやゼオライトのように水分吸着性を持つ材料が使用される。
【００３３】
また、除湿ローター５０は、第３の給気流路３３を通して室内に供給される空気と接するように、一側が第３の給気流路３３の内部に位置し、他側が、第３の排気流路４３を通して室外に排出される空気と接するように第３の排気流路４３内に位置するように配置され、その中心が仕切り板１５に回転自在に支持される。また、除湿ローター５０は、第３の給気流路３３内に設置されたモーター５１の駆動によって回転し、第３の給気流路３３内に露出される面積が、第３の排気流路４３内に露出される面積よりも大きく構成される。このため、仕切り板１５には、図３に示すように、第３の給気流路３３側に突出し、三角形状の断面を有する折り曲げ部１５ａが形成される。そして、第３の排気流路４３の流入口側の除湿ローター５０に近接した位置には、除湿ローター５０側に流れる空気を加熱するヒーター５３が設置される。
【００３４】
この構成は、第３の給気流路３３を経て室内に供給される空気が、第３の給気流路３３側の除湿ローター５０を通過しつつ水分が吸着されることで除湿されるようにしたものである。除湿ローター５０に吸着された水分は、除湿ローター５０が第３の排気流路４３側に回転したときに、ヒーター５３により加熱された排出空気が除湿ローター５０を通過する過程で除去され、排出空気と共に室外に排出されることになる。このように、除湿ローター５０は、第３の排気流路４３側で水分が除去されるため、再び水分吸収可能な状態に再生され、したがって、第３の給気流路３３側に回転し、再び第３の給気流路３３で除湿を遂行するようになる。
【００３５】
また、本発明は、図４に示すように、外気を導入することなく室内空気の循環だけで除湿を遂行可能にすべく、第１の排気流路４１の空気を第１の給気流路３１側に流入させる迂回流路６０と、この迂回流路６０を開閉する第１のダンパー６１と、室外流入口１３を開閉する第２のダンパー６２とを備える。
【００３６】
また、第３の給気流路３３内には、第３の給気流路３３に流入する空気を、除湿ローター５０側に誘導するように内部を区画する仕切り板３５が設置され、この仕切り板３５と第２の給気流路３２側の仕切り板１６との空間に、流路を開閉する第３のダンパー６３が設置される。この構成は、第３のダンパー６３が開くときに、第３の給気流路３３に流入した空気が、除湿ローター５０を迂回して室内排出口１２側に流れ、第３のダンパー６３が閉じるときに、第３の給気流路３３に流入した空気が全て除湿ローター５０を通過しつつ除湿された後に、室内排出口１２側に流れるようにしたものである。
【００３７】
また、第３の排気流路４３内にも、第３の排気流路４３に流入する空気を除湿ローター５０側に誘導するように内部を区画する仕切り板４５が設置され、この仕切り板４５と第２の排気流路４２側の仕切り板１７との空間に、流路を開閉する第４のダンパー６４が設置される。この構成は、第４のダンパー６４が開くときに、第３の排気流路４３に流入した空気が、除湿ローター５０を迂回して室外排出口１４側に流れ、第４のダンパー６４が閉じるときに、第３の排気流路４３に流入した空気が、ヒーター５３を通過しつつ加熱された後に、除湿ローター５０を通って室外排出口１４側に流れるようにしたものである。
【００３８】
室外排出口１４側には、換気装置の動作停止または激しい外風によって、室外空気が室外排出口１４を通して本体１０の内部に逆流する現象を防止するように、使用者の必要に応じて開閉可能な第５のダンパー６５が設置される。
【００３９】
次に、上記のように構成される本発明の第１の実施形態に従う換気装置の動作について説明する。
【００４０】
室内空気の換気を遂行すると同時に、外部から導入される空気の除湿を遂行するときには、図１に示すように、第１のダンパー６１と第３のダンパー６３が閉じ、第２のダンパー６２と第５のダンパー６５が開き、第４のダンパー６４が一部開放される。また、第１及び第２の送風ファン３４，４４が動作し、ヒーター５３が駆動され、除湿ローター５０が徐々に回転する。
【００４１】
このときに、室外空気は、室外流入口１３、第１の給気流路３１、電熱交換機２０の第１の空気通路２０ａ、第２の給気流路３２、第１の送風ファン３４、第３の給気流路３３、第３の給気流路側の除湿ローター５０、室内排出口１２を順に経て室内空間に流入する。したがって、室外から流入する空気は、除湿された状態で室内に供給される。
【００４２】
一方、室内空気は、室内流入口１１、第１の排気流路４１、電熱交換機２０の第２の空気通路２０ｂ、第２の排気流路４２、第２の送風ファン４４、第３の排気流路４３、ヒーター５３、第３の排気流路４３側の除湿ローター５０、室外排出口１４を順に経て室外に排出される。また、第３の排気流路４３を経て排出される空気の一部は、第４のダンパー６４の一部が開き状態にあるため、除湿ローター５０を通過せずに直接外部に排出される。このときに、室外に排出される空気の一部は、ヒーター５３によって加熱された後に除湿ローター５０を通過することから、第３の排気流路４３側の除湿ローター５０の水分を奪い、除湿ローター５０を再生させる。
【００４３】
また、上記動作の際に、室外空気と室内空気が電熱交換機２０を交差して通過するため、室内空気と室外空気との熱交換がなされ、室内空間の熱損失を減らすことができ、また、外部から導入される空気が、除湿ローター５０を通過する前に、水分吸着可能な電熱交換機２０を通過しつつ一次的に除湿される。また、換気動作がなされる間に除湿ローター５０が回転するため、室内に導入される空気の連続した除湿が可能になる。
【００４４】
一方、室内空気を換気せずに(外気の導入無しで)室内空気の除湿を遂行するときには、図４に示すように、第１のダンパー６１と第５のダンパー６５が開き、第２のダンパー６２、第３のダンパー６３及び第４のダンパー６４が流路を閉鎖するように動作する。また、第１及び第２の送風ファン３４，４４が動作し、ヒーター５３が駆動され、除湿ローター５０が徐々に回転する。特に、このときには、室外に排出される空気を減らすべく、第２の送風ファン４４が第１の送風ファン３４よりも低速で回転する。
【００４５】
したがって、大部分の室内空気は、室内流入口１１、第１の排気流路４１、迂回流路６０、第１の給気流路３１、電熱交換機２０の第１の空気通路２０ａ、第２の給気流路３２、第１の送風ファン３４、第３の給気流路３３、第３の給気流路側の除湿ローター５０、室内排出口１２を順に経て再び室内空間に供給される。この過程で、第３の給気流路３３を通る空気が全て除湿ローター５０を通過するため、室内空気の除湿がなされる。
【００４６】
また、室内流入口１１から第１の排気流路４１に流入した室内空気の一部は、電熱交換機２０の第２の空気通路２０ｂ、第２の排気流路４２、第２の送風ファン４４、第３の排気流路４３、ヒーター５３、第３の排気流路４３側の除湿ローター５０、室外排出口１４を順に経て室外に排出される。このときに、第２の送風ファン４３の動作により室外に排出される空気は、第２の送風ファン４４が第１の送風ファン３４に比べて低速で回転するため、室内に循環する空気に比べて少量となる。また、室外に排出される空気は全てヒーター５３によって加熱された後に除湿ローター５０を通過し、これによって、除湿ローターが再生される。
【００４７】
除湿動作無しで換気だけを遂行するときには、図５に示すように、第１のダンパー６１が閉じ、第２ないし第５のダンパー６２〜６５が開く。また、第１の送風ファン３４及び第２の送風ファン４４が動作し、ヒーター５３と除湿ローター５０の動作は停止する。
【００４８】
したがって、室外空気は、室外流入口１３、第１の給気流路３１、電熱交換機２０の第１の空気通路２０ａ、第２の給気流路３２、第１の送風ファン３４、第３の給気流路３３、室内排出口１２を順に経て室内空間に流入する。このときに、室外から室内に流入する空気は、第３の給気流路３３内の除湿ローター５０を迂回したり、一部だけが除湿ローター５０を通過するが、除湿ローター５０が回転しないために除湿はなされない。一方、室内空気は、室内流入口１１、第１の排気流路４１、電熱交換機２０の第２の空気通路２０ｂ、第２の排気流路４２、第２の送風ファン４４、第３の排気流路４３、室外排出口１４を順に経て室外に排出される。このときには、室外に排出される空気も除湿ローター５０を迂回して排出される。
【００４９】
図６及び図７は、本発明の第２の実施形態に従う換気装置を示す図である。第２の実施形態に従う換気装置は、第１の実施形態に従う換気装置と略同一の構成を有し、ただ、迂回流路６０と第１のダンパー６１の代わりに、第１の排気流路４１と第２の給気流路３２とを直接連通する迂回流路７０と、この迂回流路７０を開閉する第１のダンパー７１とを備える点が相違する。
【００５０】
本実施例に従う換気装置において、換気とともに除湿を遂行するときには、図７に示すように、第１のダンパー７１によって迂回流路７０が閉じる以外は、第１の実施形態と同一の構成要素によって動作するため、第１の実施形態におけると同様に換気及び除湿動作が行われる。また、図示しないが、除湿動作無しで換気だけを遂行するときにも、実質的な空気の流れは、第１の実施形態のそれと同一になる。
【００５１】
室内空気を換気せずに(外気の導入無しで)室内空気の除湿だけを遂行するときには、図６に示すように、第１のダンパー７１と第５のダンパー６５が開き、第２のダンパー６２、第３のダンパー６３及び第４のダンパー６４は閉じる。また、第１及び第２の送風ファン３４，４４が動作し、ヒーター５３が駆動され、除湿ローター５０が徐々に回転する。また、このときには、室外に排出される空気を減らすべく、第２の送風ファン４４が第１の送風ファン３４よりも低速で回転する。
【００５２】
したがって、大部分の室内空気は、室内流入口１１、第１の排気流路４１、迂回流路７０、第２の給気流路３２、第１の送風ファン３４、第３の給気流路３３、第３の給気流路側の除湿ローター５０、室内排出口１２を順に経て再び室内空間に供給される。この過程で、第３の給気流路３３を通る空気が全て除湿ローター５０を通過することから、室内空気の除湿がなされる。この空気の流れでは、第２の給気流路３２に流入する室内空気が電熱交換機２０を通過しない点で、上述の第１の実施形態と異なっている。
【００５３】
また、室内流入口１１から第１の排気流路４１に流入した室内空気の一部は、電熱交換機２０の第２の空気通路２０ｂ、第２の排気流路４２、第２の送風ファン４４、第３の排気流路４３、ヒーター５３、第３の排気流路４３側の除湿ローター５０、室外排出口１４を順に経て室外に排出される。このように第２の送風ファン４４の動作によって室外に排出される空気は、第２の送風ファン４４が第１の送風ファン４３に比べて低速で回転するため、室内に循環する空気に比べて少量となる。また、室外に排出される空気は全てヒーター５３で加熱された後に除湿ローター５０を通過し、これによって、除湿ローターが再生される。
【００５４】
図８ないし図１０は、本発明の第３の実施形態に従う換気装置を示す図である。第３の実施形態は、図８に示すように、本体１００の室内側に形成される室内流入口１１０と室内排出口１２０とを備え、本体１００の室外側に形成される室外流入口１３０と室外排出口１４０とを備える。
【００５５】
本体１００の内部には、室外から流入する空気と室内から排出される空気が、相互に交差する第１の空気通路２００ａと第２の空気通路２００ｂを通過しながら熱交換されるようにする電熱交換機２００が設置される。また、本体１００の内部には、室内空間の換気のために室外流入口１３０から流入する室外空気が、電熱交換機２００の第１の空気通路２００ａを経て室内排出口１２０を通して排出されるようにする給気流路と、室内流入口１１０から流入する室内空気が、電熱交換機２００の第２の空気通路２００ｂを経て室外排出口１４０を通して排出されるようにする排気流路とを備える。
【００５６】
給気流路は、室外流入口１３０と電熱交換機２００の第１の空気通路２００ａの入口が連通するように形成される第１の給気流路３１０と、電熱交換機２００の第１の空気通路２００ａを通過した空気を収容する空間からなる第２の給気流路３２０と、第２の給気流路３２０と室内排出口１２０とを連通するように形成された第３の給気流路３３０とを備える。すなわち、給気流路は、室外空気が、第１の給気流路３１０、電熱交換機２００の第１の空気通路２００ａ、第２の給気流路３２０、第３の給気流路３３０、室内排出口１２０を順に経て室内空間に供給されるようにする。また、第２の給気流路３２０の内部には、給気流路を通して空気が送風されるようにする第１の送風ファン３４０が設置される。
【００５７】
排気流路は、室内流入口１１０と電熱交換機２００の第２の空気通路２００ｂの入口が連通するように形成される第１の排気流路４１０と、電熱交換機２００の第２の空気通路２００ｂの出口と室外排出口１４０を連通させる第２の排気流路４２０とを備える。したがって、室内空気は、室内流入口１１０、第１の排気流路４１０、電熱交換機２００の第２の空気通路２００ｂ、第２の排気流路４２０、室外排出口１４０を順に経て室外に排気される。また、第２の排気流路４２０の内部には、排気流路を通して空気が送風されるようにする第２の送風ファン４４０が設置される。
【００５８】
また、本発明の第３の実施形態による換気装置では、電熱交換機２００の第１の空気通路２００ａを通過した第２の給気流路３２０の空気の一部が、第２の排気流路４２０側に流れるように第２の給気流路３２０と第２の排気流路４２０とを連通させる連通流路４３０が備えられる。
【００５９】
また、第３の給気流路３３０と連通流路４３０は、仕切り板１５０によって区画されることから、一部の区間が相互に隣接する状態となり、第３の給気流路３３０と連通流路４４０とを区画する仕切り板１５０には、室内空間に供給される空気の除湿のための除湿ローター５００が設置される。また、連通流路４３０の入口側には、除湿ローター５００側に流れる空気を加熱するヒーター５３０が設置される。ここで、除湿ローター５００の構成及び設置構造は、第１の実施形態のそれと同様なので、その詳細は省略される。
【００６０】
また、第３の実施形態に従う換気装置は、図９に示すように、外気を導入することなく室内空気の循環を通じて除湿を遂行可能にすべく、第１の排気流路４１０の空気が第１の給気流路３１０側に流れるようにする迂回流路６００と、この迂回流路６００の入口及び電熱交換機２００の第２の空気通路２００ｂの入口のいずれかを選択的に閉じる第１のダンパー６１０と、室外流入口１３０を開閉する第２のダンパー６２０とを備える。
【００６１】
第３の給気流路３３０内には、第３の給気流路３３０に流入する空気を、除湿ローター５００側に誘導するように内部を区画する仕切り板３５０が設置され、この仕切り板３５０と第２の給気流路３２０側の仕切り板１６０との空間に、流路を開閉する第３のダンパー６３０が設置される。したがって、第３のダンパー６３０が開くと、第３の給気流路３３０に流入した空気は、除湿ローター５００を迂回して室内排出口１２０側に流れ、第３のダンパー６３０が閉じると、第３の給気流路３３０に流入した空気は全て除湿ローター５００を通過しつつ除湿された状態で室内排出口１２０側に流れるようになる。
【００６２】
連通流路４３０の内部にもまた、連通流路４３０に流入する空気を除湿ローター５００側に誘導するように内部を区画する仕切り板４５０が設置され、この仕切り板４５０と第２の排気流路４２０側の仕切り板１７０との間には、流路を開閉する第４のダンパー６４０が設置される。すなわち、第４のダンパー６４０は、連通流路４３０に流入する空気が、除湿ローター５００を経て第２の排気流路４２０側に流れるようにしたり(図９参照)、連通流路４３０の出口を閉鎖したりする(図１０参照)。
【００６３】
室外排出口１４０側には、換気装置の動作停止または激しい外風によって室外空気が室外排出口１４０から本体１００内に逆流する現象を防止すべく、使用者の必要に応じて開閉可能な第５のダンパー６５０が設置される。
【００６４】
次に、本発明の第３の実施形態に従う換気装置の動作について説明する。
【００６５】
室内空気の換気を遂行すると同時に、外部から導入される空気の除湿を遂行するときには、図８に示すように、第１のダンパー６１０が迂回流路６００を閉鎖し、第２のダンパー６２０と第５のダンパー６５０が開く。また、第３のダンパー６３０は、第３の給気流路３３０に流入する空気が、除湿ローター５００を通過するように動作し、第４のダンパー６４０は、連通流路４３０に流入する空気が、除湿ローター５００を経て第２の排気流路４２０に流れるように動作する。すなわち、第４のダンパー６４０は、連通流路４３０の出口を開放する。また、第１及び第２の送風ファン３４０，４４０が動作し、ヒーター５３０が駆動され、除湿ローター５００が徐々に回転する。
【００６６】
このときに、室外空気は、室外流入口１３０、第１の給気流路３１０、電熱交換機２００の第１の空気通路２００ａ、第２の給気流路３２０、第１の送風ファン３４０、第３の給気流路３３０、第３の給気流路側の除湿ローター５００、室内排出口１２０を順に経て室内空間に供給される。したがって、室外から流入する空気は、除湿された状態で室内に供給される。一方、室内空気は、室内流入口１１０、第１の排気流路４１０、電熱交換機２００の第２の空気通路２００ｂ、第２の排気流路４２０、第２の送風ファン４４０、室外排出口１４０を順に経て室外に排出される。また、第２の給気流路３２０から連通流路４３０に流入する一部の空気は、ヒーター５３０で加熱された後に除湿ローター５００を通過するため、連通流路４３０側の除湿ローター５００の水分を奪い、除湿ローター５００を再生させる。続いて、連通流路４３０を通過した空気は、第２の排気流路４２０に流れ外部に排出される。
【００６７】
本発明の第３の実施形態に従う換気装置において、室内空気を換気せずに(外気の導入無しで)室内空気の除湿を遂行するときには、図９に示すように、第１のダンパー６１０が、迂回流路６００を開放すると同時に、電熱交換機２００の第２の空気通路２００ｂの入口を閉鎖するように動作し、第２のダンパー６２０は閉じる。また、第３のダンパー６３０は、第３の給気流路３３０に流入する空気が、除湿ローター５００を通過するようにし動作し、第４のダンパー６４０は、連通流路４３０に流入する空気が、除湿ローター５００を経て第２の排気流路４２０に流れるように動作する。また、第５のダンパー６５０は開く。また、第１及び第２の送風ファン３４０、４４０が動作し、ヒーター５３０が駆動され、除湿ローター５００が徐々に回転する。このときに、室外に排出される空気を減らすべく、第２の送風ファン４４０が第１の送風ファン３４０よりも低速で回転する。
【００６８】
したがって、大部分の室内空気は、室内流入口１１０、第１の排気流路４１０、迂回流路６００、第１の給気流路３１０、電熱交換機２００の第１の空気通路２００ａ、第２の給気流路３２０、第１の送風ファン３４０、第３の給気流路３３０、第３の給気流路側の除湿ローター５００、室内排出口１２０を順に経て再び室内空間に供給される。この過程で、第３の給気流路３３０を経る空気が全て除湿ローター５００を通過することから、室内空気が除湿される。
【００６９】
そして、第２の給気流路３２０から連通流路４３０に流入する一部の空気は、ヒーター５３０によって加熱された後に除湿ローター５００を通過するため、連通流路４３０側の除湿ローター５００の水分を奪い、除湿ローター５００を再生させる。続いて、連通流路４３０を通過した空気は、第２の排気流路４２０に流れ外部に排出される。このときに、第２の送風ファン４４０の動作によって室外に排出される空気は、第２の送風ファン４４０が第１の送風ファン３４０に比べて低速で回転するため、室内に循環する空気に比べて少量となる。
【００７０】
また、本発明の第３の実施形態に従う換気装置において、除湿動作無しで換気だけを遂行するときには、図１０に示すように、第１のダンパー６１０によって迂回流路６００が閉鎖され、第２のダンパー６２０と第５のダンパー６５０が開く。また、第３のダンパー６３０は、第３の給気流路３３０に流入する空気が、除湿ローター５００を迂回するように動作し、第４のダンパー６４０は、連通流路４３０の出口を閉鎖する。また、第１の送風ファン３４０と第２の送風ファン４４０が動作し、ヒーター５３０と除湿ローター５００の動作は停止する。
【００７１】
したがって、室外空気は、室外流入口１３０、第１の給気流路３１０、電熱交換機２００の第１の空気通路２００ａ、第２の給気流路３２０、第１の送風ファン３４０、第３の給気流路３３０、室内排出口１２０を順に経て室内空間に供給される。このときに、室外から室内に流入する空気は、第３の給気流路３３０内の除湿ローター５００を迂回したり、一部だけが除湿ローター５００を通過するが、除湿ローター５００が回転しないため、除湿はなされない。一方、室内空気は、室内流入口１１０、第１の排気流路４１０、電熱交換機２００の第２の空気通路２００ｂ、第２の排気流路４２０、第２の送風ファン４４０、室外排出口１４０を順に経て室外に排出される。このときに、連通流路４３０の出口は第４のダンパー６４０によって閉鎖された状態であるため、連通流路４３０側には空気が流れない。
【００７２】
図１１及び図１２は、本発明の第４の実施形態に従う換気装置を示す図である。第４の実施形態に従う換気装置は、第３の実施形態に従う換気装置と略同一の構成を有し、ただ、迂回流路６００と第１のダンパー６１０の代わりに、第１の排気流路４１０と第２の給気流路３２０とを直接連通させる迂回流路７００と、この迂回流路７００と電熱交換機２００の第２の空気通路２００ｂの入口側の流路のいずれかを選択的に閉鎖する第１のダンパー７１０とを備える点が相違する。
【００７３】
本発明の第４の実施形態に従う換気装置において、換気とともに除湿を遂行するときには、図１２に示すように、第１のダンパー７１０によって迂回流路７００が閉じる以外は、第３の実施形態と同一の構成要素によって動作するため、第３の実施形態におけると同様に換気及び除湿動作が行われる。また、図示しないが、除湿動作無しで換気だけを遂行するときにも、実質的な空気の流れは、第３の実施形態のそれと同一になる。
【００７４】
室内空気を換気せずに(外気の導入無しで)室内空気の除湿だけを遂行するときには、図１１に示すように、第１のダンパー７１０が迂回流路７００を開放すると同時に、電熱交換機２００の第２の空気通路２００ｂ側の流路を閉鎖し、第２のダンパー６２０は閉じる。また、第３のダンパー６３０は、第３の給気流路３３０に流入する空気が、除湿ローター５００を通過するように動作し、第４のダンパー６４０は、連通流路４３０に流入する空気が、除湿ローター５００を経て第２の排気流路４２０に流れるように動作する。また、第５のダンパー６５０は開く。また、第１及び第２の送風ファン３４０，４４０が動作し、ヒーター５３０が駆動され、除湿ローター５００が徐々に回転する。このときに、室外に排出される空気を減らすべく、第２の送風ファン４４０が第１の送風ファン３４０よりも低速で回転する。
【００７５】
したがって、大部分の室内空気は、室内流入口１１０、第１の排気流路４１０、迂回流路７００、第２の給気流路３２０、第１の送風ファン３４０、第３の給気流路３３０、第３の給気流路側の除湿ローター５００、室内排出口１２０を順に経て再び室内空間に供給される。この過程で、第３の給気流路３３０を経る空気が全て除湿ローター５００を通過することから、室内空気が除湿される。この空気の流れでは、第２の給気流路３２０に流入する室内空気が電熱交換機２００を通過しないという点で、上述の第３の実施形態と異なっている。
【００７６】
一方、第２の給気流路３２０から連通流路４３０に流入する一部の空気は、ヒーター５３０によって加熱された後に除湿ローター５００を通過するため、連通流路４３０側の除湿ローター５００の水分を奪い、除湿ローター５００を再生させる。続いて、連通流路４３０を通過した空気は、第２の排気流路４２０に流れ外部に排出される。
【図面の簡単な説明】
【００７７】
【図１】本発明の第１の実施形態に従う換気装置の内部構成を示す断面図であり、換気と除湿がなされる状態を示す図である。
【図２】本発明の第１の実施形態に従う換気装置の除湿ローターの構成を示す斜視図である。
【図３】図２のIII−III’線に沿う断面図である。
【図４】本発明の第１の実施形態に従う換気装置の内部構成を示す断面図であり、外気の流入無しで除湿がなされる状態を示す図である。
【図５】本発明の第１の実施形態に従う換気装置の内部構成を示す断面図であり、除湿動作無しで換気がなされる状態を示す図である。
【図６】本発明の第２の実施形態に従う換気装置の内部構成を示す断面図であり、外気の導入無しで除湿がなされる状態を示す図である。
【図７】本発明の第２の実施形態に従う換気装置の内部構成を示す断面図であり、換気と除湿がなされる状態を示す図である。
【図８】本発明の第３の実施形態に従う換気装置の内部構成を示す断面図であり、換気と除湿がなされる状態を示す図である。
【図９】本発明の第３の実施形態に従う換気装置の内部構成を示す断面図であり、外気の導入無しで除湿がなされる状態を示す図である。
【図１０】本発明の第３の実施形態に従う換気装置の内部構成を示す断面図であり、除湿動作無しで換気がなされる状態を示す図である。
【図１１】本発明の第４の実施形態に従う換気装置の内部構成を示す断面図であり、外気の導入無しで除湿がなされる状態を示す図である。
【図１２】本発明の第４の実施形態に従う換気装置の内部構成を示す断面図であり、換気と除湿がなされる状態を示す図である。
【符号の説明】
【００７８】
１０，１００  本体
１１，１１０  室内流入口
１２，１２０  室内排出口
１３，１３０  室外流入口
１４，１４０  室外排出口
１５，１５０  仕切り板
２０，２００  電熱交換機
２０ａ，２００ａ  第１の空気通路
２０ｂ，２００ｂ  第２の空気通路
３１，３１０  第１の給気流路
３２，３２０  第２の給気流路
３３，３３０  第３の給気流路
３４，３４０  第１の送風ファン
４１，４１０  第１の排気流路
４２，４２０  第２の排気流路
４３  第３の排気流路
４４，４４０  第２の送風ファン
５０，５００  除湿ローター
６０，７０，６００，７００  迂回流路
６１，７１，６１０，７１０  第１のダンパー
６２，６２０  第２のダンパー
６３，６３０  第３のダンパー
６４，６４０  第４のダンパー
６５，６５０  第５のダンパー
【図１】
2006125824.tif 000003
【図２】
2006125824.tif 000004
【図３】
2006125824.tif 000005
【図４】
2006125824.tif 000006
【図５】
2006125824.tif 000007
【図６】
2006125824.tif 000008
【図７】
2006125824.tif 000009
【図８】
2006125824.tif 000010
【図９】
2006125824.tif 000011
【図１０】
2006125824.tif 000012
【図１１】
2006125824.tif 000013
【図１２】
2006125824.tif 000014
【手続補正書】
【提出日】平成18年3月7日(2006.3.7)
【手続補正１】
【補正対象書類名】特許請求の範囲
【補正対象項目名】全文
【補正方法】変更
【補正の内容】
【特許請求の範囲】
【請求項１】
室内と室外とをつなぐように設置される本体と、
前記本体内に設置される転熱交換器と、
前記本体内に設置され、室外空気を前記転熱交換器を経て室内に流入させる給気流路と、
前記本体内に設置され、室内空気を前記転熱交換器を経て室外に排出する排気流路と、
除湿部及び再生部を備える除湿ローターと、を備える換気装置であって、
前記転熱交換器の下流の前記給気流路内に前記除湿部が位置し、前記転熱交換器の下流の前記排気流路内に前記再生部が位置するように設置されることを特徴とする換気装置。
【請求項２】
前記給気流路の下流側に、前記除湿ローターの除湿部を迂回して室内と連通するようにする除湿ダンパー、及び前記排気流路の下流側に前記除湿ローターの再生部を迂回して室外と連通するようにする再生ダンパーをさらに備えることを特徴とする請求項１に記載の換気装置。
【請求項３】
前記換気装置が換気モードで運転しようとする際には、前記除湿ダンパー及び再生ダンパーを開放し、これら開放されたダンパーを介して吸気及び排気が行なわれるようにすることを特徴とする請求項２に記載の換気装置。
【請求項４】
前記換気装置が換気及び除湿モードで運転しようとする際には、前記除湿ダンパーを閉鎖して給気流路は除湿ローターの除湿部を通過して吸入されるようにし、前記再生ダンパーを一部開放し、排気流路の一部は前記除湿ローターの再生部を通過し、一部は再生ダンパーを通過して室外に排出されるようにすることを特徴とする請求項２に記載の換気装置。
【請求項５】
室内と室外とつなぐように設置される本体と、
前記本体内に設置される転熱交換器と、
前記本体内に設置され、室外空気を前記転熱交換器を経て室内に流入させる給気流路と、
前記本体内に設置され、室内空気を前記転熱交換器を経て室外に排出する排気流路と、
除湿部及び再生部を有する除湿ローターと、を備える換気装置であって、
前記転熱交換器の下流の前記給気流路内に前記除湿部が位置し、前記転熱交換器の下流の前記排気流路内に前記再生部が位置するように設置され、
前記排気流路の上流側には、前記転熱交換器を迂回して給気流路と連通する迂回流路を備えることを特徴とする換気装置。
【請求項６】
前記迂回流路は、前記迂回流路を選択的に開閉できるダンパーを備えることを特徴とする請求項５に記載の換気装置。
【請求項７】
前記迂回流路は、前記排気流路の上流側と、前記転熱交換器を通過する前の前記給気流路の上流側とを連通するように形成されることを特徴とする請求項６に記載の換気装置。
【請求項８】
前記換気装置が除湿モードで運転しようとする際には、前記排気流路上の迂回流路のダンパーを開放し、排気流路中の一部は、転熱交換器を迂回し吸気流路を経て転熱交換器及び除湿ローターの除湿部を通過して室内に吸入されるようにし、排気流路中の一部は、転熱交換器及び除湿ローターの再生部を経て室外に排出されるようにすることを特徴とする請求項７に記載の換気装置。
【請求項９】
前記迂回流路は、前記排気流路の上流側と前記転熱交換器を通過した後の前記給気流路と連通するように形成されることを特徴とする請求項６に記載の換気装置。
【請求項１０】
前記換気装置が除湿モードで運転しようとする際には、前記排気流路上の迂回流路のダンパーを開放し、排気流路中の一部は転熱交換器を迂回し給気流路を経て除湿ローターの除湿部を通過して室内に吸入されるようにし、排気流路中の一部は、転熱交換器及び除湿ローターの再生部を通って室外に排出されるようにすることを特徴とする請求項９に記載の換気装置。
【請求項１１】
室内と室外とをつなぐように設置される本体と、
前記本体内部に設置される転熱交換器と、
前記本体内に設置され、室外空気を前記転熱交換器を経て室内に流入させる給気流路と、
前記本体内に設置され、室内空気を前記転熱交換器を経て室外に排出する排気流路と、
除湿部及び再生部を有する除湿ローターと、を備える換気装置であって、
前記除湿ローターの除湿部は、前記転熱交換器の下流の前記給気流路内に配置され、室内と連通するように設置され、
前記除湿ローターの再生部は、前記転熱交換器の下流の前記給気流路内に配置され、室外と連通するように設置されることを特徴とする換気装置。
【請求項１２】
前記除湿ローターが設置される前記給気流路の下流には、室内側と室外側を区画する仕切り板が設置され、前記除湿ローターは、前記仕切り板に設置されることを特徴とする請求項１１に記載の換気装置。
【請求項１３】
前記給気流路の下流側に、前記除湿ローターの除湿部を迂回して室内と連通するようにする除湿ダンパーと、前記除湿ローターの再生部が室外と連通するのを開閉する再生ダンパーと、をさらに備えることを特徴とする請求項１１に記載の換気装置。
【請求項１４】
前記換気装置が換気モードで運転しようとする際には、前記除湿ダンパーが開放され、前記再生ダンパーは閉鎖されて前記給気流路の空気が室内に流入することを特徴とする請求項１３に記載の換気装置。
【請求項１５】
前記換気装置が換気及び除湿モードで運転しようとする際には、前記除湿ダンパーは閉鎖され、前記再生ダンパーは開放され、前記給気流路の一部は、除湿ローターの除湿部を通過して吸入されるようにし、前記給気流路の一部は、前記除湿ローターの再生部を通過して室外に排出されることを特徴とする請求項１３に記載の換気装置。
【請求項１６】
室内と室外とをつなぐように設置される本体と、
前記本体内に設置される転熱交換器と、
前記本体内に設置され、室外空気を前記転熱交換器を経て室内に流入させる給気流路と、
前記本体内に設置され、室内空気を前記転熱交換器を経て室外に排出する排気流路と、
除湿部及び再生部を有する除湿ローターと、を備える換気装置であって、
前記除湿ローターの除湿部は、前記転熱交換器の下流の前記給気流路内に配置され、室内と連通するように設置され、前記除湿ローターの再生部は、前記転熱交換器の下流の前記給気流路内に配置され、室外と連通するように設置され、
前記排気流路の上流側には、前記転熱交換器を迂回して給気流路と連通する迂回流路を備えることを特徴とする換気装置。
【請求項１７】
前記迂回流路は、前記迂回流路を選択的に開閉できるダンパーを備えることを特徴とする請求項１６に記載の換気装置。
【請求項１８】
前記迂回流路は、前記排気流路の上流側と前記転熱交換器を通過する前の前記給気流路の上流側を連通するように形成されることを特徴とする請求項１７に記載の換気装置。
【請求項１９】
前記換気装置が除湿モードで運転しようとする際には、前記排気流路上の迂回流路のダンパーを開放し、排気流路の全部が転熱交換器を迂回して給気流路及び転熱交換器を通過し、排気流路中の一部は、前記除湿ローターの除湿部を通過して室内に吸入されるようにし、排気流路中の一部は、前記除湿ローターの再生部を通過して室外に排出されるようにすることを特徴とする請求項１８に記載の換気装置。
【請求項２０】
前記迂回流路は、前記排気流路の上流側と前記転熱交換器を通過した後の前記給気流路と連通するように形成されることを特徴とする請求項１７に記載の換気装置。
【請求項２１】
前記換気装置が除湿モードで運転しようとする際には、前記排気流路上の迂回流路のダンパーを開放し、排気流路の全部が前記転熱交換器を迂回して前記給気流路を通過し、排気流路中の一部は、前記除湿ローターの除湿部を通過して室内に吸入されるようにし、排気流路中の一部は、前記除湿ローターの再生部を経て室外に排出されるようにすることを特徴とする請求項２０に記載の換気装置。
【手続補正２】
【補正対象書類名】明細書
【補正対象項目名】全文
【補正方法】変更
【補正の内容】
【発明の詳細な説明】
【技術分野】
【０００１】
本発明は、換気装置に関し、より詳細には、換気と除湿が同時に遂行可能であるのみならず、外気の流入無しで室内空気の循環のみを通じて除湿を遂行可能にした換気装置に関する。
【背景技術】
【０００２】
特許文献１には、電熱交換機を採用した換気装置が開示されている。この換気装置は、室内側に室内流入口と室内排出口とを備え、室外側に室外流入口と室外排出口とを備える本体と、この本体の内部に設置された電熱交換機と、本体の内部において室内流入口と室外流入口側に各々設置される送風器と、室内空気と室外空気を各々加熱するためのヒーターと、本体内の流路可変のための流路可変手段とを備える。
【０００３】
この換気装置は、換気運転を遂行する場合に、室外空気が室内に流入し、室内空気が室外に排出されるように流路可変手段が動作する。また、室内空気の除湿及び加湿を遂行する場合には、流路可変手段の動作によって室内から流入して電熱交換機を通過した室内空気が再び室内空間に排出されるようにする。また、室内空気の除湿及び加湿を遂行する過程で加熱再生を遂行する場合には、室外から流入して電熱交換機を通過した室外空気が、再び室外に排出されるようにする。
【０００４】
しかしながら、この換気装置は、除湿を遂行するときに、室内空気が電熱交換機を経て再び室内に排出されるようにしたり、室外空気が電熱交換機を経て再び室外に排出されるようにする過程を繰り返し行わなければならないため、連続した除湿運転が不可能になるという問題があった。
【０００５】
また、この換気装置は、電熱交換機を用いて除湿を遂行するため、機器の運転時間が長くなり、よって、エネルギー費用と運転騒音は増加し、除湿効果は低い欠点があった。
【０００６】
また、この換気装置は、除湿運転を遂行する間には室内の換気ができない問題があった。
【特許文献１】特開平８−９４１２４号公報
【発明の開示】
【発明が解決しようとする課題】
【０００７】
本発明は、上記事情に鑑みてなされたものであり、その目的は、換気機能を遂行しながら、外部から流入する空気の除湿を遂行することができる換気装置を提供することにある。
【０００８】
本発明の他の目的は、外気を導入することなく室内空気の循環だけを通じて室内空気の連続した除湿を遂行可能にし、従来に比べて除湿効果を向上させた換気装置を提供することにある。
【課題を解決するための手段】
【０００９】
上記の目的を達成するために、本発明よる換気装置は、室内と室外とをつなぐように設置される本体と、前記本体内に設置される転熱交換器と、前記本体内に設置され、室外空気を前記転熱交換器を経て室内に流入させる給気流路と、前記本体内に設置され、室内空気を前記転熱交換器を経て室外に排出する排気流路と、除湿部及び再生部を備える除湿ローターと、を備える換気装置であって、前記転熱交換器の下流の前記給気流路内に前記除湿部が位置し、前記転熱交換器の下流の前記排気流路内に前記再生部が位置するように設置されることを特徴とする。
【００１０】
また、本発明は、前記給気流路の下流側に、前記除湿ローターの除湿部を迂回して室内と連通するようにする除湿ダンパー、及び前記排気流路の下流側に前記除湿ローターの再生部を迂回して室外と連通するようにする再生ダンパーをさらに備えることを特徴とする。
【００１１】
また、本発明は、前記換気装置が換気モードで運転しようとする際には、前記除湿ダンパー及び再生ダンパーを開放し、これら開放されたダンパーを介して吸気及び排気が行なわれるようにすることを特徴とする。
【００１２】
また、本発明は、前記換気装置が換気及び除湿モードで運転しようとする際には、前記除湿ダンパーを閉鎖して給気流路は除湿ローターの除湿部を通過して吸入されるようにし、前記再生ダンパーを一部開放し、排気流路の一部は前記除湿ローターの再生部を通過し、一部は再生ダンパーを通過して室外に排出されるようにすることを特徴とする。
【００１３】
また、本発明に係る換気装置は、室内と室外とつなぐように設置される本体と、前記本体内に設置される転熱交換器と、前記本体内に設置され、室外空気を前記転熱交換器を経て室内に流入させる給気流路と、前記本体内に設置され、室内空気を前記転熱交換器を経て室外に排出する排気流路と、除湿部及び再生部を有する除湿ローターと、を備える換気装置であって、前記転熱交換器の下流の前記給気流路内に前記除湿部が位置し、前記転熱交換器の下流の前記排気流路内に前記再生部が位置するように設置され、前記排気流路の上流側には、前記転熱交換器を迂回して給気流路と連通する迂回流路を備えることを特徴とする。
【００１４】
また、前記迂回流路は、前記迂回流路を選択的に開閉できるダンパーを備えることを特徴とする。
【００１５】
前記迂回流路は、前記排気流路の上流側と、前記転熱交換器を通過する前の前記給気流路の上流側とを連通するように形成されることを特徴とする。
【００１６】
また、本発明は、前記換気装置が除湿モードで運転しようとする際には、前記排気流路上の迂回流路のダンパーを開放し、排気流路中の一部は、転熱交換器を迂回し吸気流路を経て転熱交換器及び除湿ローターの除湿部を通過して室内に吸入されるようにし、排気流路中の一部は、転熱交換器及び除湿ローターの再生部を経て室外に排出されるようにすることを特徴とする。
【００１７】
また、前記迂回流路は、前記排気流路の上流側と前記転熱交換器を通過した後の前記給気流路と連通するように形成されることを特徴とする。
【００１８】
また、本発明は、前記換気装置が除湿モードで運転しようとする際には、前記排気流路上の迂回流路のダンパーを開放し、排気流路中の一部は転熱交換器を迂回し給気流路を経て除湿ローターの除湿部を通過して室内に吸入されるようにし、排気流路中の一部は、転熱交換器及び除湿ローターの再生部を通って室外に排出されるようにすることを特徴とする。
【００１９】
また、本発明は、室内と室外とをつなぐように設置される本体と、前記本体内部に設置される転熱交換器と、前記本体内に設置され、室外空気を前記転熱交換器を経て室内に流入させる給気流路と、前記本体内に設置され、室内空気を前記転熱交換器を経て室外に排出する排気流路と、除湿部及び再生部を有する除湿ローターと、を備える換気装置であって、前記除湿ローターの除湿部は、前記転熱交換器の下流の前記給気流路内に配置され、室内と連通するように設置され、前記除湿ローターの再生部は、前記転熱交換器の下流の前記給気流路内に配置され、室外と連通するように設置されることを特徴とする。
【００２０】
また、本発明は、前記除湿ローターが設置される前記給気流路の下流には、室内側と室外側を区画する仕切り板が設置され、前記除湿ローターは、前記仕切り板に設置されることを特徴とする。
【００２１】
また、本発明は、前記給気流路の下流側に、前記除湿ローターの除湿部を迂回して室内と連通するようにする除湿ダンパーと、前記除湿ローターの再生部が室外と連通するのを開閉する再生ダンパーと、をさらに備えることを特徴とする。
【００２２】
また、前記換気装置が換気モードで運転しようとする際には、前記除湿ダンパーが開放され、前記再生ダンパーは閉鎖されて前記給気流路の空気が室内に流入することを特徴とする。
【００２３】
また、前記換気装置が換気及び除湿モードで運転しようとする際には、前記除湿ダンパーは閉鎖され、前記再生ダンパーは開放され、前記給気流路の一部は、除湿ローターの除湿部を通過して吸入されるようにし、前記給気流路の一部は、前記除湿ローターの再生部を通過して室外に排出されることを特徴とする。
【００２４】
また、本発明に係る換気装置は、室内と室外とをつなぐように設置される本体と、前記本体内に設置される転熱交換器と、前記本体内に設置され、室外空気を前記転熱交換器を経て室内に流入させる給気流路と、前記本体内に設置され、室内空気を前記転熱交換器を経て室外に排出する排気流路と、除湿部及び再生部を有する除湿ローターと、を備える換気装置であって、前記除湿ローターの除湿部は、前記転熱交換器の下流の前記給気流路内に配置され、室内と連通するように設置され、前記除湿ローターの再生部は、前記転熱交換器の下流の前記給気流路内に配置され、室外と連通するように設置され、前記排気流路の上流側には、前記転熱交換器を迂回して給気流路と連通する迂回流路を備えることを特徴とする。
【００２５】
また、前記迂回流路は、前記迂回流路を選択的に開閉できるダンパーを備えることを特徴とする。
【００２６】
また、前記迂回流路は、前記排気流路の上流側と前記転熱交換器を通過する前の前記給気流路の上流側を連通するように形成されることを特徴とする。
【００２７】
また、前記換気装置が除湿モードで運転しようとする際には、前記排気流路上の迂回流路のダンパーを開放し、排気流路の全部が転熱交換器を迂回して給気流路及び転熱交換器を通過し、排気流路中の一部は、前記除湿ローターの除湿部を通過して室内に吸入されるようにし、排気流路中の一部は、前記除湿ローターの再生部を通過して室外に排出されるようにすることを特徴とする。
【００２８】
また、前記迂回流路は、前記排気流路の上流側と前記転熱交換器を通過した後の前記給気流路と連通するように形成されることを特徴とする。
【００２９】
また、本発明は、前記換気装置が除湿モードで運転しようとする際には、前記排気流路上の迂回流路のダンパーを開放し、排気流路の全部が前記転熱交換器を迂回して前記給気流路を通過し、排気流路中の一部は、前記除湿ローターの除湿部を通過して室内に吸入されるようにし、排気流路中の一部は、前記除湿ローターの再生部を経て室外に排出されるようにすることを特徴とする。
【発明の効果】
【００３０】
本発明の換気装置によれば、除湿ローターの動作によって除湿が遂行されるため、室内の換気とともに除湿を遂行することができ、かつ、従来に比べて除湿効果が向上する効果が得られる。
【００３１】
また、本発明の換気装置によれば、迂回流路を通して室内空気を循環させられるため、外気を導入することなく室内空気の循環だけを通じて室内空気の連続した除湿を遂行することが可能になる。
【発明を実施するための最良の形態】
【００３２】
以下、本発明の好ましい実施形態について、添付図面を参照しつつ詳細に説明する。
【００３３】
図１ないし図５に、本発明の第１の実施形態に従う換気装置を示す。図１に示すように、第１の実施形態に従う換気装置は、四角の箱形状を有する本体１０の室内側に室内流入口１１及び室内排出口１２を備え、本体１０の室外側に室外流入口１３及び室外排出口１４を備える。
【００３４】
本体１０の内部には、室外から流入する空気と室内から排出される空気の熱交換のための転熱交換器２０が設置される。この転熱交換器２０は、通常の転熱交換器と同様に、相対向する第１の側面２１と第２の側面２２とが、第１の空気通路２０ａを介して連通し、相互対向する第３の側面２３と第４の側面２４もまた、第１の空気通路２０ａと区画される第２の空気通路２０ｂを介して連通する。この構成によって、室内空気と室外空気は、転熱交換器２０の第１の空気通路２０ａと第２の空気通路２０ｂを相互に交差するように通過しながら熱交換される。
【００３５】
また、本体１０の内部には、室内空間の換気のために室外流入口１３から流入する室外空気が、転熱交換器２０の第１の空気通路２０ａを経て室内排出口１２を通して排出されるようにする給気流路と、室内流入口１１から流入する室内空気が、転熱交換器２０の第２の空気通路２０ｂを経て室外排出口１４を通して排出されるようにする排気流路とが備えられる。
【００３６】
給気流路は、室外流入口１３と転熱交換器の第１の空気通路２０ａの入口とが連通するように形成される第１の給気流路３１と、転熱交換器２０の第１の空気通路２０ａを通過した空気を収容する空間からなる第２の給気流路３２と、第２の給気流路３２と室内排出口１２とが連通するように形成された第３の給気流路３３と、を備える。したがって、室外空気は、第１の給気流路３１、転熱交換器の第１の空気通路２０ａ、第２の給気流路３２、第３の給気流路３３、室内排出口１２を順に経て室内空間に供給される。また、第２の給気流路３２の内部には、給気流路を通して空気が送風されるようにする第１の送風ファン３４が設置される。また、そういう送風のために第１の送風ファン３４は、その出口が第３の給気流路３３の入口につながる送風ケース３４ａを備える。
【００３７】
排気流路は、室内流入口１１と転熱交換器２０の第２の空気通路２０ｂの入口とが連通するように形成される第１の排気流路４１と、転熱交換器２０の第２の空気通路２０ｂを通過した空気を収容する空間からなる第２の排気流路４２と、第２の排気流路４２と室外排出口１４とを連通させる第３の排気流路４３と、を備える。したがって、室内空気は、室内流入口１１、第１の排気流路４１、転熱交換器２０の第２の空気通路２０ｂ、第２の排気流路４２、第３の排気流路４３、室外排出口１４を順に経て室外に排出される。また、第２の排気流路４２の内部には、排気流路を通して空気が送風されるようにする第２の送風ファン４４が設置され、また、そういう送風のために、第２の送風ファン４４は、その出口が第３の排気流路４３の入口につながる送風ケース４４ａを備える。これら本体１０内の流路は、通常の換気装置におけると同様に、本体１０の内部を区画する複数枚の仕切り板によって形成される。
【００３８】
また、第３の給気流路３３と第３の排気流路４３は、図１及び図２に示すように、これら流路３３，４３を区画する仕切り板１５によって形成されるため、一部の区間が相互に隣接した状態となり、また、第３の給気流路３３と第３の排気流路４３とを区画する仕切り板１５には、室内空間に供給される空気を除湿するためのものとして、再生部及び除湿部を有する除湿ローター５０が設置される。
【００３９】
除湿ローター５０は、図２及び図３に示すように、空気の流通が可能な格子型の網体や蜂の巣の形をした表面に水分吸着剤が塗布された回転体で構成される。水分吸着剤としては、シリカゲルやゼオライトのように水分吸着性を持つ材料が使用される。
【００４０】
また、除湿ローター５０は、第３の給気流路３３を通して室内に供給される空気と接するように、一側が第３の給気流路３３の内部に位置し、他側が、第３の排気流路４３を通して室外に排出される空気と接するように第３の排気流路４３内に位置するように配置され、その中心が仕切り板１５に回転自在に支持される。また、除湿ローター５０は、第３の給気流路３３内に設置されたモーター５１の駆動によって回転し、第３の給気流路３３内に露出される面積が、第３の排気流路４３内に露出される面積よりも大きく構成される。このため、仕切り板１５には、図３に示すように、第３の給気流路３３側に突出し、三角形状の断面を有する折り曲げ部１５ａが形成される。そして、第３の排気流路４３の流入口側の除湿ローター５０に近接した位置には、除湿ローター５０側に流れる空気を加熱するヒーター５３が設置される。このような除湿ローター５０は、第３の給気流路３３内に位置する方が、室内に流入する空気の除湿のための除湿部となり、第３排気流路３４の方が、ヒーター５３の加熱によって湿気が除去される再生部となる。
【００４１】
この構成は、第３の給気流路３３を経て室内に供給される空気が、第３の給気流路３３側の除湿ローター５０を通過しつつ水分が吸着されることで除湿されるようにしたものである。除湿ローター５０に吸着された水分は、除湿ローター５０が第３の排気流路４３側に回転したときに、ヒーター５３により加熱された排出空気が除湿ローター５０を通過する過程で除去され、排出空気と共に室外に排出されることになる。このように、除湿ローター５０は、第３の排気流路４３側で水分が除去されるため、再び水分吸収可能な状態に再生され、したがって、第３の給気流路３３側に回転し、再び第３の給気流路３３で除湿を遂行するようになる。
【００４２】
また、本発明は、図４に示すように、外気を導入することなく室内空気の循環だけで除湿を遂行可能にすべく、第１の排気流路４１の空気を第１の給気流路３１側に流入させる迂回流路６０と、この迂回流路６０を開閉する迂回ダンパー６１と、室外流入口１３を開閉する室外流入口ダンパー６２と、を備える。
【００４３】
また、第３の給気流路３３内には、第３の給気流路３３に流入する空気を、除湿ローター５０側に誘導するように内部を区画する仕切り板３５が設置され、この仕切り板３５と第２の給気流路３２側の仕切り板１６との空間に、流路を開閉する除湿ダンパー６３が設置される。この構成は、除湿ダンパー６３が開くときに、第３の給気流路３３に流入した空気が、除湿ローター５０を迂回して室内排出口１２側に流れ、除湿ダンパー６３が閉じるときに、第３の給気流路３３に流入した空気が全て除湿ローター５０を通過しつつ除湿された後に、室内排出口１２側に流れるようにしたものである。
【００４４】
また、第３の排気流路４３内にも、第３の排気流路４３に流入する空気を除湿ローター５０側に誘導するように内部を区画する仕切り板４５が設置され、この仕切り板４５と第２の排気流路４２側の仕切り板１７との空間に、流路を開閉する再生ダンパー６４が設置される。この構成は、再生ダンパー６４が開くときに、第３の排気流路４３に流入した空気が、除湿ローター５０を迂回して室外排出口１４側に流れ、再生ダンパー６４が閉じるときに、第３の排気流路４３に流入した空気が、ヒーター５３を通過しつつ加熱された後に、除湿ローター５０を通って室外排出口１４側に流れるようにしたものである。
【００４５】
室外排出口１４側には、換気装置の動作停止または激しい外風によって、室外空気が室外排出口１４を通して本体１０の内部に逆流する現象を防止するように、使用者の必要に応じて開閉可能な室外排出口ダンパー６５が設置される。
【００４６】
次に、上記のように構成される本発明の第１の実施形態に従う換気装置の動作について説明する。
【００４７】
室内空気の換気を遂行すると同時に、外部から導入される空気の除湿を遂行するときには、図１に示すように、迂回ダンパー６１と除湿ダンパー６３が閉じ、室外流入口ダンパー６２と室外排出口ダンパー６５が開き、再生ダンパー６４が一部開放される。また、第１及び第２の送風ファン３４，４４が動作し、ヒーター５３が駆動され、除湿ローター５０が徐々に回転する。
【００４８】
このときに、室外空気は、室外流入口１３、第１の給気流路３１、転熱交換器２０の第１の空気通路２０ａ、第２の給気流路３２、第１の送風ファン３４、第３の給気流路３３、第３の給気流路側の除湿ローター５０、室内排出口１２を順に経て室内空間に流入する。したがって、室外から流入する空気は、除湿された状態で室内に供給される。
【００４９】
一方、室内空気は、室内流入口１１、第１の排気流路４１、転熱交換器２０の第２の空気通路２０ｂ、第２の排気流路４２、第２の送風ファン４４、第３の排気流路４３、ヒーター５３、第３の排気流路４３側の除湿ローター５０、室外排出口１４を順に経て室外に排出される。また、第３の排気流路４３を経て排出される空気の一部は、再生ダンパー６４の一部が開き状態にあるため、除湿ローター５０を通過せずに直接外部に排出される。このときに、室外に排出される空気の一部は、ヒーター５３によって加熱された後に除湿ローター５０を通過することから、第３の排気流路４３側の除湿ローター５０の水分を奪い、除湿ローター５０を再生させる。
【００５０】
また、上記動作の際に、室外空気と室内空気が転熱交換器２０を交差して通過するため、室内空気と室外空気との熱交換がなされ、室内空間の熱損失を減らすことができ、また、外部から導入される空気が、除湿ローター５０を通過する前に、水分吸着可能な転熱交換器２０を通過しつつ一次的に除湿される。また、換気動作がなされる間に除湿ローター５０が回転するため、室内に導入される空気の連続した除湿が可能になる。
【００５１】
一方、室内空気を換気せずに（外気の導入無しで）室内空気の除湿を遂行するときには、図４に示すように、迂回ダンパー６１と室外排出口ダンパー６５が開き、室外流入口ダンパー６２、除湿ダンパー６３及び再生ダンパー６４が流路を閉鎖するように動作する。また、第１及び第２の送風ファン３４，４４が動作し、ヒーター５３が駆動され、除湿ローター５０が徐々に回転する。特に、このときには、室外に排出される空気を減らすべく、第２の送風ファン４４が第１の送風ファン３４よりも低速で回転する。
【００５２】
したがって、大部分の室内空気は、室内流入口１１、第１の排気流路４１、迂回流路６０、第１の給気流路３１、転熱交換器２０の第１の空気通路２０ａ、第２の給気流路３２、第１の送風ファン３４、第３の給気流路３３、第３の給気流路側の除湿ローター５０、室内排出口１２を順に経て再び室内空間に供給される。この過程で、第３の給気流路３３を通る空気が全て除湿ローター５０を通過するため、室内空気の除湿がなされる。
【００５３】
また、室内流入口１１から第１の排気流路４１に流入した室内空気の一部は、転熱交換器２０の第２の空気通路２０ｂ、第２の排気流路４２、第２の送風ファン４４、第３の排気流路４３、ヒーター５３、第３の排気流路４３側の除湿ローター５０、室外排出口１４を順に経て室外に排出される。このときに、第２の送風ファン４３の動作により室外に排出される空気は、第２の送風ファン４４が第１の送風ファン３４に比べて低速で回転するため、室内に循環する空気に比べて少量となる。また、室外に排出される空気は全てヒーター５３によって加熱された後に除湿ローター５０を通過し、これによって、除湿ローターが再生される。
【００５４】
除湿動作無しで換気だけを遂行するときには、図５に示すように、迂回ダンパー６１が閉じ、室外流入口ダンパー６２、除湿ダンパー６３、再生ダンパー６４、室外排出口ダンパー６５が全て開く。また、第１の送風ファン３４及び第２の送風ファン４４が動作し、ヒーター５３と除湿ローター５０の動作は停止する。
【００５５】
したがって、室外空気は、室外流入口１３、第１の給気流路３１、転熱交換器２０の第１の空気通路２０ａ、第２の給気流路３２、第１の送風ファン３４、第３の給気流路３３、室内排出口１２を順に経て室内空間に流入する。このときに、室外から室内に流入する空気は、第３の給気流路３３内の除湿ローター５０を迂回したり、一部だけが除湿ローター５０を通過するが、除湿ローター５０が回転しないために除湿はなされない。一方、室内空気は、室内流入口１１、第１の排気流路４１、転熱交換器２０の第２の空気通路２０ｂ、第２の排気流路４２、第２の送風ファン４４、第３の排気流路４３、室外排出口１４を順に経て室外に排出される。このときには、室外に排出される空気も除湿ローター５０を迂回して排出される。
【００５６】
図６及び図７は、本発明の第２の実施形態に従う換気装置を示す図である。第２の実施形態に従う換気装置は、第１の実施形態に従う換気装置と略同一の構成を有し、ただ、迂回流路６０と迂回ダンパー６１の代わりに、第１の排気流路４１と第２の給気流路３２とを直接連通する迂回流路７０と、この迂回流路７０を開閉する迂回ダンパー７１とを備える点が相違する。
【００５７】
本実施例に従う換気装置において、換気とともに除湿を遂行するときには、図７に示すように、迂回ダンパー７１によって迂回流路７０が閉じる以外は、第１の実施形態と同一の構成要素によって動作するため、第１の実施形態におけると同様に換気及び除湿動作が行われる。また、図示しないが、除湿動作無しで換気だけを遂行するときにも、実質的な空気の流れは、第１の実施形態のそれと同一になる。
【００５８】
室内空気を換気せずに（外気の導入無しで）室内空気の除湿だけを遂行するときには、図６に示すように、迂回ダンパー７１と室外排出口ダンパー６５が開き、室外流入口ダンパー６２、除湿ダンパー６３及び再生ダンパー６４は閉じる。また、第１及び第２の送風ファン３４，４４が動作し、ヒーター５３が駆動され、除湿ローター５０が徐々に回転する。また、このときには、室外に排出される空気を減らすべく、第２の送風ファン４４が第１の送風ファン３４よりも低速で回転する。
【００５９】
したがって、大部分の室内空気は、室内流入口１１、第１の排気流路４１、迂回流路７０、第２の給気流路３２、第１の送風ファン３４、第３の給気流路３３、第３の給気流路側の除湿ローター５０、室内排出口１２を順に経て再び室内空間に供給される。この過程で、第３の給気流路３３を通る空気が全て除湿ローター５０を通過することから、室内空気の除湿がなされる。この空気の流れでは、第２の給気流路３２に流入する室内空気が転熱交換器２０を通過しない点で、上述の第１の実施形態と異なっている。
【００６０】
また、室内流入口１１から第１の排気流路４１に流入した室内空気の一部は、転熱交換器２０の第２の空気通路２０ｂ、第２の排気流路４２、第２の送風ファン４４、第３の排気流路４３、ヒーター５３、第３の排気流路４３側の除湿ローター５０、室外排出口１４を順に経て室外に排出される。このように第２の送風ファン４４の動作によって室外に排出される空気は、第２の送風ファン４４が第１の送風ファン４３に比べて低速で回転するため、室内に循環する空気に比べて少量となる。また、室外に排出される空気は全てヒーター５３で加熱された後に除湿ローター５０を通過し、これによって、除湿ローターが再生される。
【００６１】
図８ないし図１０は、本発明の第３の実施形態に従う換気装置を示す図である。第３の実施形態は、図８に示すように、本体１００の室内側に形成される室内流入口１１０と室内排出口１２０とを備え、本体１００の室外側に形成される室外流入口１３０と室外排出口１４０とを備える。
【００６２】
本体１００の内部には、室外から流入する空気と室内から排出される空気が、相互に交差する第１の空気通路２００ａと第２の空気通路２００ｂを通過しながら熱交換されるようにする転熱交換器２００が設置される。また、本体１００の内部には、室内空間の換気のために室外流入口１３０から流入する室外空気が、転熱交換器２００の第１の空気通路２００ａを経て室内排出口１２０を通して排出されるようにする給気流路と、室内流入口１１０から流入する室内空気が、転熱交換器２００の第２の空気通路２００ｂを経て室外排出口１４０を通して排出されるようにする排気流路と、を備える。
【００６３】
給気流路は、室外流入口１３０と転熱交換器２００の第１の空気通路２００ａの入口が連通するように形成される第１の給気流路３１０と、転熱交換器２００の第１の空気通路２００ａを通過した空気を収容する空間からなる第２の給気流路３２０と、第２の給気流路３２０と室内排出口１２０とを連通するように形成された第３の給気流路３３０と、を備える。すなわち、給気流路は、室外空気が、第１の給気流路３１０、転熱交換器２００の第１の空気通路２００ａ、第２の給気流路３２０、第３の給気流路３３０、室内排出口１２０を順に経て室内空間に供給されるようにする。また、第２の給気流路３２０の内部には、給気流路を通して空気が送風されるようにする第１の送風ファン３４０が設置される。
【００６４】
排気流路は、室内流入口１１０と転熱交換器２００の第２の空気通路２００ｂの入口が連通するように形成される第１の排気流路４１０と、転熱交換器２００の第２の空気通路２００ｂの出口と室外排出口１４０を連通させる第２の排気流路４２０と、を備える。したがって、室内空気は、室内流入口１１０、第１の排気流路４１０、転熱交換器２００の第２の空気通路２００ｂ、第２の排気流路４２０、室外排出口１４０を順に経て室外に排気される。また、第２の排気流路４２０の内部には、排気流路を通して空気が送風されるようにする第２の送風ファン４４０が設置される。
【００６５】
また、本発明の第３の実施形態による換気装置では、転熱交換器２００の第１の空気通路２００ａを通過した第２の給気流路３２０の空気の一部が、第２の排気流路４２０側に流れるように第２の給気流路３２０と第２の排気流路４２０とを連通させる連通流路４３０が備えられる。
【００６６】
また、第３の給気流路３３０と連通流路４３０は、仕切り板１５０によって区画されることから、一部の区間が相互に隣接する状態となり、第３の給気流路３３０と連通流路４４０とを区画する仕切り板１５０には、室内空間に供給される空気の除湿のための除湿ローター５００が設置される。また、連通流路４３０の入口側には、除湿ローター５００側に流れる空気を加熱するヒーター５３０が設置される。ここで、除湿ローター５００の構成及び設置構造は、第１の実施形態のそれと同様なので、その詳細は省略される。
【００６７】
また、第３の実施形態に従う換気装置は、図９に示すように、外気を導入することなく室内空気の循環を通じて除湿を遂行可能にすべく、第１の排気流路４１０の空気が第１の給気流路３１０側に流れるようにする迂回流路６００と、この迂回流路６００の入口及び転熱交換器２００の第２の空気通路２００ｂの入口のいずれかを選択的に閉じる迂回ダンパー６１０と、室外流入口１３０を開閉する室外流入口ダンパー６２０と、を備える。
【００６８】
第３の給気流路３３０内には、第３の給気流路３３０に流入する空気を、除湿ローター５００側に誘導するように内部を区画する仕切り板３５０が設置され、この仕切り板３５０と第２の給気流路３２０側の仕切り板１６０との空間に、流路を開閉する除湿ダンパー６３０が設置される。したがって、除湿ダンパー６３０が開くと、第３の給気流路３３０に流入した空気は、除湿ローター５００を迂回して室内排出口１２０側に流れ、除湿ダンパー６３０が閉じると、第３の給気流路３３０に流入した空気は全て除湿ローター５００を通過しつつ除湿された状態で室内排出口１２０側に流れるようになる。
【００６９】
連通流路４３０の内部にもまた、連通流路４３０に流入する空気を除湿ローター５００側に誘導するように内部を区画する仕切り板４５０が設置され、この仕切り板４５０と第２の排気流路４２０側の仕切り板１７０との間には、流路を開閉する再生ダンパー６４０が設置される。すなわち、再生ダンパー６４０は、連通流路４３０に流入する空気が、除湿ローター５００を経て第２の排気流路４２０側に流れるようにしたり（図９参照）、連通流路４３０の出口を閉鎖したりする（図１０参照）。
【００７０】
室外排出口１４０側には、換気装置の動作停止または激しい外風によって室外空気が室外排出口１４０から本体１００内に逆流する現象を防止すべく、使用者の必要に応じて開閉可能な室外排出口ダンパー６５０が設置される。
【００７１】
次に、本発明の第３の実施形態に従う換気装置の動作について説明する。
【００７２】
室内空気の換気を遂行すると同時に、外部から導入される空気の除湿を遂行するときには、図８に示すように、迂回ダンパー６１０が迂回流路６００を閉鎖し、室外流入口ダンパー６２０と室外排出口ダンパー６５０が開く。また、除湿ダンパー６３０は、第３の給気流路３３０に流入する空気が、除湿ローター５００を通過するように動作し、再生ダンパー６４０は、連通流路４３０に流入する空気が、除湿ローター５００を経て第２の排気流路４２０に流れるように動作する。すなわち、再生ダンパー６４０は、連通流路４３０の出口を開放する。また、第１及び第２の送風ファン３４０，４４０が動作し、ヒーター５３０が駆動され、除湿ローター５００が徐々に回転する。
【００７３】
このときに、室外空気は、室外流入口１３０、第１の給気流路３１０、転熱交換器２００の第１の空気通路２００ａ、第２の給気流路３２０、第１の送風ファン３４０、第３の給気流路３３０、第３の給気流路側の除湿ローター５００、室内排出口１２０を順に経て室内空間に供給される。したがって、室外から流入する空気は、除湿された状態で室内に供給される。一方、室内空気は、室内流入口１１０、第１の排気流路４１０、転熱交換器２００の第２の空気通路２００ｂ、第２の排気流路４２０、第２の送風ファン４４０、室外排出口１４０を順に経て室外に排出される。また、第２の給気流路３２０から連通流路４３０に流入する一部の空気は、ヒーター５３０で加熱された後に除湿ローター５００を通過するため、連通流路４３０側の除湿ローター５００の水分を奪い、除湿ローター５００を再生させる。続いて、連通流路４３０を通過した空気は、第２の排気流路４２０に流れ外部に排出される。
【００７４】
本発明の第３の実施形態に従う換気装置において、室内空気を換気せずに（外気の導入無しで）室内空気の除湿を遂行するときには、図９に示すように、迂回ダンパー６１０が、迂回流路６００を開放すると同時に、転熱交換器２００の第２の空気通路２００ｂの入口を閉鎖するように動作し、室外流入口ダンパー６２０は閉じる。また、除湿ダンパー６３０は、第３の給気流路３３０に流入する空気が、除湿ローター５００を通過するようにし動作し、再生ダンパー６４０は、連通流路４３０に流入する空気が、除湿ローター５００を経て第２の排気流路４２０に流れるように動作する。また、室外排出口ダンパー６５０は開く。また、第１及び第２の送風ファン３４０、４４０が動作し、ヒーター５３０が駆動され、除湿ローター５００が徐々に回転する。このときに、室外に排出される空気を減らすべく、第２の送風ファン４４０が第１の送風ファン３４０よりも低速で回転する。
【００７５】
したがって、大部分の室内空気は、室内流入口１１０、第１の排気流路４１０、迂回流路６００、第１の給気流路３１０、転熱交換器２００の第１の空気通路２００ａ、第２の給気流路３２０、第１の送風ファン３４０、第３の給気流路３３０、第３の給気流路側の除湿ローター５００、室内排出口１２０を順に経て再び室内空間に供給される。この過程で、第３の給気流路３３０を経る空気が全て除湿ローター５００を通過することから、室内空気が除湿される。
【００７６】
そして、第２の給気流路３２０から連通流路４３０に流入する一部の空気は、ヒーター５３０によって加熱された後に除湿ローター５００を通過するため、連通流路４３０側の除湿ローター５００の水分を奪い、除湿ローター５００を再生させる。続いて、連通流路４３０を通過した空気は、第２の排気流路４２０に流れ外部に排出される。このときに、第２の送風ファン４４０の動作によって室外に排出される空気は、第２の送風ファン４４０が第１の送風ファン３４０に比べて低速で回転するため、室内に循環する空気に比べて少量となる。
【００７７】
また、本発明の第３の実施形態に従う換気装置において、除湿動作無しで換気だけを遂行するときには、図１０に示すように、迂回ダンパー６１０によって迂回流路６００が閉鎖され、室外流入口ダンパー６２０と室外排出口ダンパー６５０が開く。また、除湿ダンパー６３０は、第３の給気流路３３０に流入する空気が、除湿ローター５００を迂回するように動作し、再生ダンパー６４０は、連通流路４３０の出口を閉鎖する。また、第１の送風ファン３４０と第２の送風ファン４４０が動作し、ヒーター５３０と除湿ローター５００の動作は停止する。
【００７８】
したがって、室外空気は、室外流入口１３０、第１の給気流路３１０、転熱交換器２００の第１の空気通路２００ａ、第２の給気流路３２０、第１の送風ファン３４０、第３の給気流路３３０、室内排出口１２０を順に経て室内空間に供給される。このときに、室外から室内に流入する空気は、第３の給気流路３３０内の除湿ローター５００を迂回したり、一部だけが除湿ローター５００を通過するが、除湿ローター５００が回転しないため、除湿はなされない。一方、室内空気は、室内流入口１１０、第１の排気流路４１０、転熱交換器２００の第２の空気通路２００ｂ、第２の排気流路４２０、第２の送風ファン４４０、室外排出口１４０を順に経て室外に排出される。このときに、連通流路４３０の出口は再生ダンパー６４０によって閉鎖された状態であるため、連通流路４３０側には空気が流れない。
【００７９】
図１１及び図１２は、本発明の第４の実施形態に従う換気装置を示す図である。第４の実施形態に従う換気装置は、第３の実施形態に従う換気装置と略同一の構成を有し、ただ、迂回流路６００と迂回ダンパー６１０の代わりに、第１の排気流路４１０と第２の給気流路３２０とを直接連通させる迂回流路７００と、この迂回流路７００と転熱交換器２００の第２の空気通路２００ｂの入口側の流路のいずれかを選択的に閉鎖する迂回ダンパー７１０とを備える点が相違する。
【００８０】
本発明の第４の実施形態に従う換気装置において、換気とともに除湿を遂行するときには、図１２に示すように、迂回ダンパー７１０によって迂回流路７００が閉じる以外は、第３の実施形態と同一の構成要素によって動作するため、第３の実施形態におけると同様に換気及び除湿動作が行われる。また、図示しないが、除湿動作無しで換気だけを遂行するときにも、実質的な空気の流れは、第３の実施形態のそれと同一になる。
【００８１】
室内空気を換気せずに（外気の導入無しで）室内空気の除湿だけを遂行するときには、図１１に示すように、迂回ダンパー７１０が迂回流路７００を開放すると同時に、転熱交換器２００の第２の空気通路２００ｂ側の流路を閉鎖し、室外流入口ダンパー６２０は閉じる。また、除湿ダンパー６３０は、第３の給気流路３３０に流入する空気が、除湿ローター５００を通過するように動作し、再生ダンパー６４０は、連通流路４３０に流入する空気が、除湿ローター５００を経て第２の排気流路４２０に流れるように動作する。また、室外排出口ダンパー６５０は開く。また、第１及び第２の送風ファン３４０，４４０が動作し、ヒーター５３０が駆動され、除湿ローター５００が徐々に回転する。このときに、室外に排出される空気を減らすべく、第２の送風ファン４４０が第１の送風ファン３４０よりも低速で回転する。
【００８２】
したがって、大部分の室内空気は、室内流入口１１０、第１の排気流路４１０、迂回流路７００、第２の給気流路３２０、第１の送風ファン３４０、第３の給気流路３３０、第３の給気流路側の除湿ローター５００、室内排出口１２０を順に経て再び室内空間に供給される。この過程で、第３の給気流路３３０を経る空気が全て除湿ローター５００を通過することから、室内空気が除湿される。この空気の流れでは、第２の給気流路３２０に流入する室内空気が転熱交換器２００を通過しないという点で、上述の第３の実施形態と異なっている。
【００８３】
一方、第２の給気流路３２０から連通流路４３０に流入する一部の空気は、ヒーター５３０によって加熱された後に除湿ローター５００を通過するため、連通流路４３０側の除湿ローター５００の水分を奪い、除湿ローター５００を再生させる。続いて、連通流路４３０を通過した空気は、第２の排気流路４２０に流れ外部に排出される。
【図面の簡単な説明】
【００８４】
【図１】本発明の第１の実施形態に従う換気装置の内部構成を示す断面図であり、換気と除湿がなされる状態を示す図である。
【図２】本発明の第１の実施形態に従う換気装置の除湿ローターの構成を示す斜視図である。
【図３】図２のＩＩＩ−ＩＩＩ’線に沿う断面図である。
【図４】本発明の第１の実施形態に従う換気装置の内部構成を示す断面図であり、外気の流入無しで除湿がなされる状態を示す図である。
【図５】本発明の第１の実施形態に従う換気装置の内部構成を示す断面図であり、除湿動作無しで換気がなされる状態を示す図である。
【図６】本発明の第２の実施形態に従う換気装置の内部構成を示す断面図であり、外気の導入無しで除湿がなされる状態を示す図である。
【図７】本発明の第２の実施形態に従う換気装置の内部構成を示す断面図であり、換気と除湿がなされる状態を示す図である。
【図８】本発明の第３の実施形態に従う換気装置の内部構成を示す断面図であり、換気と除湿がなされる状態を示す図である。
【図９】本発明の第３の実施形態に従う換気装置の内部構成を示す断面図であり、外気の導入無しで除湿がなされる状態を示す図である。
【図１０】本発明の第３の実施形態に従う換気装置の内部構成を示す断面図であり、除湿動作無しで換気がなされる状態を示す図である。
【図１１】本発明の第４の実施形態に従う換気装置の内部構成を示す断面図であり、外気の導入無しで除湿がなされる状態を示す図である。
【図１２】本発明の第４の実施形態に従う換気装置の内部構成を示す断面図であり、換気と除湿がなされる状態を示す図である。
【符号の説明】
【００８５】
１０，１００        本体
１１，１１０        室内流入口
１２，１２０        室内排出口
１３，１３０        室外流入口
１４，１４０        室外排出口
１５，１５０        仕切り板
２０，２００        転熱交換器
２０ａ，２００ａ    第１の空気通路
２０ｂ，２００ｂ    第２の空気通路
３１，３１０        第１の給気流路
３２，３２０        第２の給気流路
３３，３３０        第３の給気流路
３４，３４０        第１の送風ファン
４１，４１０        第１の排気流路
４２，４２０        第２の排気流路
４３                第３の排気流路
４４，４４０        第２の送風ファン
５０，５００        除湿ローター
６０，７０，６００，７００    迂回流路
６１，７１，６１０，７１０    迂回ダンパー
６２，６２０        室外流入口ダンパー
６３，６３０        除湿ダンパー
６４，６４０        再生ダンパー
６５，６５０        室外排出口ダンパー